(57)【要約】【課題】２０℃前後〜５０℃前後の温度帯域で相転移を行い、かつパラフィン系の潜熱蓄熱材よりも大きな蓄熱量を得ることができる潜熱蓄熱材組成物を提供する。【解決手段】第１の潜熱蓄熱材１０と化合物２０とを含む潜熱蓄熱材組成物１で、第１の潜熱蓄熱材１０は酢酸塩である。化合物２０は、第１の潜熱蓄熱材１０と少なくとも１つの構成成分を異にし、第１の潜熱蓄熱材１０のカチオンの元素と同族に属した元素のカチオンと、少なくとも硫酸イオン、ヒドロキシメタンスルフィン酸イオン、亜リン酸水素イオン、または酢酸イオンのいずれかのアニオンにより、イオン結晶をなす第２の潜熱蓄熱材である。潜熱蓄熱材組成物１は、第１の潜熱蓄熱材１０を２０〜８０ｗｔ％、第２の潜熱蓄熱材２０を８０〜２０ｗｔ％の割合で混合され、第１の潜熱蓄熱材１０単体の融点または第２の潜熱蓄熱材２０単体の融点と、相対的に７〜３７℃低い融点に調整されている。【選択図】図１
2019206631.tif 000002
【特許請求の範囲】
【請求項１】
相変化に伴う潜熱の出入りを利用して、蓄熱またはその放熱を行う無機塩水和物として、第１の無機塩水和物と、該第１の無機塩水和物と混合した化合物を含む潜熱蓄熱材組成物において、
前記第１の無機塩水和物は、酢酸塩であること、
前記化合物は、前記第１の無機塩水和物と、少なくとも１つの構成成分を異にした別の前記無機塩水和物であり、前記第１の無機塩水和物のカチオンの元素と同族に属した元素のカチオンと、少なくとも硫酸イオン、ヒドロキシメタンスルフィン酸イオン、亜リン酸水素イオン、または酢酸イオンのいずれかのアニオンにより、イオン結晶をなす第２の無機塩水和物であること、
前記第１の無機塩水和物と前記第２の無機塩水和物との配合割合は、
前記第１の無機塩水和物  ２０〜８０ｗｔ％
前記第２の無機塩水和物  ８０〜２０ｗｔ％
であること、
当該潜熱蓄熱材組成物は、前記第１の無機塩水和物単体の融点、または前記第２の無機塩水和物単体の融点と、相対的に７〜３７℃低い融点に調整された物性であること、
を特徴とする潜熱蓄熱材組成物。
【請求項２】
請求項１に記載する潜熱蓄熱材組成物において、
前記酢酸塩は、酢酸ナトリウム三水和物（ＣＨ３ＣＯＯＮａ・３Ｈ２Ｏ）であること、
を特徴とする潜熱蓄熱材組成物。
【請求項３】
請求項１または請求項２に記載する潜熱蓄熱材組成物において、
前記アニオンは、硫酸イオン（ＳＯ４２−）であり、
前記第２の無機塩水和物は、硫酸塩であること、
を特徴とする潜熱蓄熱材組成物。
【請求項４】
請求項３に記載する潜熱蓄熱材組成物において、
前記硫酸塩は、硫酸ナトリウム十水和物（Ｎａ２ＳＯ４・１０Ｈ２Ｏ）であること、
を特徴とする潜熱蓄熱材組成物。
【請求項５】
請求項４に記載する潜熱蓄熱材組成物において、
前記酢酸塩は、酢酸ナトリウム三水和物（ＣＨ３ＣＯＯＮａ・３Ｈ２Ｏ）であり、
前記酢酸ナトリウム三水和物と前記硫酸ナトリウム十水和物との配合割合は、
前記酢酸ナトリウム三水和物  ２０〜６０ｗｔ％
前記硫酸ナトリウム十水和物  ８０〜４０ｗｔ％
であること、
を特徴とする潜熱蓄熱材組成物。
【請求項６】
請求項１または請求項２に記載する潜熱蓄熱材組成物において、
前記アニオンは、ヒドロキシメタンスルフィン酸イオン（ＣＨ３Ｏ３Ｓ−）であり、
前記第２の無機塩水和物は、ヒドロキシメタンスルフィン酸塩であること、
を特徴とする潜熱蓄熱材組成物。
【請求項７】
請求項６に記載する潜熱蓄熱材組成物において、
前記ヒドロキシメタンスルフィン酸塩は、ヒドロキシメタンスルフィン酸ナトリウム二水和物（ＣＨ３ＮａＯ３Ｓ・２Ｈ２Ｏ）であること、
を特徴とする潜熱蓄熱材組成物。
【請求項８】
請求項７に記載する潜熱蓄熱材組成物において、
前記酢酸塩は、酢酸ナトリウム三水和物（ＣＨ３ＣＯＯＮａ・３Ｈ２Ｏ）であり、
前記酢酸ナトリウム三水和物と前記ヒドロキシメタンスルフィン酸ナトリウム二水和物との配合割合は、
前記酢酸ナトリウム三水和物  ３０〜７０ｗｔ％
前記ヒドロキシメタンスルフィン酸ナトリウム二水和物  ７０〜３０ｗｔ％
であること、
を特徴とする潜熱蓄熱材組成物。
【請求項９】
請求項１または請求項２に記載する潜熱蓄熱材組成物において、
前記アニオンは、亜リン酸水素イオン（ＨＰＯ３２−）であり、
前記第２の無機塩水和物は、亜リン酸水素塩であること、
を特徴とする潜熱蓄熱材組成物。
【請求項１０】
請求項９に記載する潜熱蓄熱材組成物において、
前記亜リン酸水素塩は、亜リン酸水素二ナトリウム五水和物（Ｎａ２ＨＰＯ３・５Ｈ２Ｏ）であること、
を特徴とする潜熱蓄熱材組成物。
【請求項１１】
請求項１０に記載する潜熱蓄熱材組成物において、
前記酢酸塩は、酢酸ナトリウム三水和物（ＣＨ３ＣＯＯＮａ・３Ｈ２Ｏ）であり、
前記酢酸ナトリウム三水和物と前記亜リン酸水素二ナトリウム五水和物との配合割合は、
前記酢酸ナトリウム三水和物  ３０〜７０ｗｔ％
前記亜リン酸水素二ナトリウム五水和物  ７０〜３０ｗｔ％
であること、
を特徴とする潜熱蓄熱材組成物。
【請求項１２】
請求項１または請求項２に記載する潜熱蓄熱材組成物において、
前記アニオンは、酢酸イオン（ＣＨ３ＣＯＯ−）であり、
前記第２の無機塩水和物は、酢酸塩であること、
を特徴とする潜熱蓄熱材組成物。
【請求項１３】
請求項１２に記載する潜熱蓄熱材組成物において、
前記酢酸塩は、酢酸リチウム二水和物（ＣＨ３ＣＯＯＬｉ・２Ｈ２Ｏ）であること、
を特徴とする潜熱蓄熱材組成物。
【請求項１４】
請求項１３に記載する潜熱蓄熱材組成物において、
前記第１の無機塩水和物の前記酢酸塩は、酢酸ナトリウム三水和物（ＣＨ３ＣＯＯＮａ・３Ｈ２Ｏ）であり、
前記酢酸ナトリウム三水和物と前記酢酸リチウム二水和物との配合割合は、
前記酢酸ナトリウム三水和物  ３０〜５０ｗｔ％
前記酢酸リチウム二水和物  ７０〜５０ｗｔ％
であること、
を特徴とする潜熱蓄熱材組成物。
【発明の詳細な説明】
【技術分野】
【０００１】
本発明は、相変化に伴う潜熱の出入りを利用して、蓄熱またはその放熱を行う無機塩水和物と、この無機塩水和物と混合した化合物を含む潜熱蓄熱材組成物に関する。
【背景技術】
【０００２】
潜熱蓄熱材（PCM：Phase Change Material）は、相変化に伴う潜熱の出入りを利用して蓄熱することができる物性を有しており、本来廃棄される排熱をこの潜熱蓄熱材に蓄熱し、蓄えた熱を必要に応じて取り出すことで、エネルギが無駄なく有効に活用できる。潜熱蓄熱材は、パラフィンを代表とする有機化合物系の蓄熱材と、例えば、酢酸ナトリウム三水和物（ＣＨ３ＣＯＯＮａ・３Ｈ２Ｏ）、チオ硫酸ナトリウム五水和物（Ｎａ２Ｓ２Ｏ３・５Ｈ２Ｏ）等の無機塩水和物系の蓄熱材に大別され、何れの蓄熱材も良く知られている。
【０００３】
無機塩水和物系に属する蓄熱材で、２０℃前後〜５０℃前後の融点を有する潜熱蓄熱材は、未だ開発途上にあることから、近年でも、パラフィンを主成分とした潜熱蓄熱材が、工業用途の主流になっている。一方、酢酸ナトリウム三水和物単体の物性は、融点５８℃、潜熱の蓄熱量２７６ｋＪ／ｋｇ(４００ｋＪ／Ｌ)程度と、無機塩水和物系の潜熱蓄熱材の中でも、より大きな蓄熱量の潜熱を保持することができる。この特性を活かし、酢酸ナトリウム三水和物を主成分とする潜熱蓄熱材が使用された民生用商品に、例えば、繰り返し使用できる携帯用カイロ等が、既に市場に流通している。
【０００４】
特許文献１には、酢酸ナトリウム三水和物を含む潜熱蓄熱材組成物が、開示されている。特許文献１は、相変化物質と結晶化調節剤とを含み、３４〜５６℃に液固相転移温度を有した蓄熱組成物であり、この相変化物質が、酢酸ナトリウム三水和物（ＣＨ３ＣＯＯＮａ・３Ｈ２Ｏ）とチオ硫酸ナトリウム五水和物（Ｎａ２Ｓ２Ｏ３・５Ｈ２Ｏ）との共融混合物、または酢酸ナトリウム三水和物（ＣＨ３ＣＯＯＮａ・３Ｈ２Ｏ）と尿素（ＣＯ（ＮＨ２）２）との共融混合物である。結晶化調節剤は、ゼリー状に固まる特性、または可塑化特性を有するパラフィン、アラビアゴム、ゼラチン、ワックス等の有機生成物である。チオ硫酸ナトリウム五水和物を含む蓄熱組成物では、酢酸ナトリウム三水和物が２８〜５０重量％、チオ硫酸ナトリウム五水和物が７２〜５０重量％の混合比率である場合に、当該蓄熱組成物は、人の体温の温度帯域をほぼ網羅できる３８〜５６℃で融解し、添加した結晶化調節剤により、その融点で、蓄えた潜熱をより長い時間放熱する。そのため、この蓄熱組成物は、医療用発熱パッドの熱源等の医療用途に使用できるとされている。
【先行技術文献】
【特許文献】
【０００５】
【特許文献１】特表２００３−５０７５２４号公報
【発明の概要】
【発明が解決しようとする課題】
【０００６】
しかしながら、潜熱蓄熱材がパラフィン系の場合、潜熱蓄熱材の蓄熱量は物質毎に異なるため、一概に比較はできないが、体積当たりの蓄熱量は、概ね２２０〜２４０ｋＪ／ｋｇ（約１７５〜１８５ｋＪ／Ｌ）であり、酢酸ナトリウム三水和物と比べて低い。しかも、パラフィンは可燃性で、安全対策を必要とする場合もあり、使い勝手は良くない。
【０００７】
ところで、産業界では近年、体積あたりの潜熱の蓄熱量が高く、かつ相転移の温度帯域を、特に２０℃前後〜５０℃前後とした潜熱蓄熱材を用いて、この潜熱蓄熱材に蓄熱した熱エネルギを積極的に活用する技術開発に、多くの関心が寄せられている。例えば、融点を２０℃台の温度帯とした潜熱蓄熱材の場合、このような潜熱蓄熱材を壁等に用いて省エネルギ化対策を施した住宅では、昼間、太陽光による熱を潜熱蓄熱材に蓄熱することで、室温の上昇が抑制できると共に、その潜熱を夜間、放熱することにより、室温の下降を抑制することが可能になるため、人にとって快適な温度である室温２０℃台の居住空間が、潜熱蓄熱材によって提供できるようになる。このように、潜熱蓄熱材に対し、融点のバリエーションが拡大できると、潜熱蓄熱材は、様々な業界で活用し得ると期待されている。
【０００８】
特に、血液や医薬品等の医療用物品を輸送するにあたり、例えば、２０℃前後〜４０℃前後の常温下で行う保温対策では、現在、パラフィン系の潜熱蓄熱材が用いられているが、使用時に、前述したように、体積当たりの蓄熱量が低いことに起因した制限等もあり、パラフィンよりも高い蓄熱量の潜熱蓄熱材の開発を望む声もある。他方、特許文献１の蓄熱組成物は、医療用物品の搬送に伴う保温対策で、これまで使用されているパラフィン系の潜熱蓄熱材に代わるものになり得るが、融点が３４〜５６℃の温度帯域であるため、特許文献１の蓄熱組成物は、例示した省エネルギ化対策を施した住宅に対し、室温２０℃台の快適な居住空間を提供する用途等のように、２０℃台の融点を必要とした用途では、全く使用できない。従って、パラフィン系の潜熱蓄熱材に代えて、２０℃前後〜５０℃前後の温度帯域とする無機塩水和物系の潜熱蓄熱材の開発が、強く望まれていた。
【０００９】
本発明は、上記問題点を解決するためになされたものであり、相転移を２０℃前後〜５０℃前後の温度帯域で行い、かつパラフィン系の潜熱蓄熱材よりも大きな蓄熱量を得ることができる潜熱蓄熱材組成物を提供することを目的とする。
【課題を解決するための手段】
【００１０】
上記目的を達成するために、本発明に係る潜熱蓄熱材組成物は、以下の構成を有する。
（１）相変化に伴う潜熱の出入りを利用して、蓄熱またはその放熱を行う無機塩水和物として、第１の無機塩水和物と、該第１の無機塩水和物と混合した化合物を含む潜熱蓄熱材組成物において、前記第１の無機塩水和物は、酢酸塩であること、前記化合物は、前記第１の無機塩水和物と、少なくとも１つの構成成分を異にした別の前記無機塩水和物であり、前記第１の無機塩水和物のカチオンの元素と同族に属した元素のカチオンと、少なくとも硫酸イオン、ヒドロキシメタンスルフィン酸イオン、亜リン酸水素イオン、または酢酸イオンのいずれかのアニオンにより、イオン結晶をなす第２の無機塩水和物であること、前記第１の無機塩水和物と前記第２の無機塩水和物との配合割合は、
前記第１の無機塩水和物  ２０〜８０ｗｔ％
前記第２の無機塩水和物  ８０〜２０ｗｔ％
であること、当該潜熱蓄熱材組成物は、前記第１の無機塩水和物単体の融点、または前記第２の無機塩水和物単体の融点と、相対的に７〜３７℃低い融点に調整された物性であること、を特徴とする。
【００１１】
なお、本発明に係る潜熱蓄熱材組成物において、「第１の無機塩水和物のカチオン」とは、１価、２価等のカチオンの価数を問わず、第１の無機塩水和物をなす酢酸塩の酢酸イオンと、イオン結晶をなし得るカチオンを意味するものであり、１価のカチオンには、例えば、リチウムイオン、ナトリウムイオン、カリウムイオンのような、周期表第一族のアルカリ金属等に属する元素のカチオンが挙げられる。
【００１２】
（２）（１）に記載する潜熱蓄熱材組成物において、前記酢酸塩は、酢酸ナトリウム三水和物（ＣＨ３ＣＯＯＮａ・３Ｈ２Ｏ）であること、を特徴とする。
（３）（１）または（２）に記載する潜熱蓄熱材組成物において、前記アニオンは、硫酸イオン（ＳＯ４２−）であり、前記第２の無機塩水和物は、硫酸塩であること、を特徴とする。
（４）（３）に記載する潜熱蓄熱材組成物において、前記硫酸塩は、硫酸ナトリウム十水和物（Ｎａ２ＳＯ４・１０Ｈ２Ｏ）であること、を特徴とする。
（５）（４）に記載する潜熱蓄熱材組成物において、前記酢酸塩は、酢酸ナトリウム三水和物（ＣＨ３ＣＯＯＮａ・３Ｈ２Ｏ）であり、前記酢酸ナトリウム三水和物と前記硫酸ナトリウム十水和物との配合割合は、
前記酢酸ナトリウム三水和物  ２０〜６０ｗｔ％
前記硫酸ナトリウム十水和物  ８０〜４０ｗｔ％
であること、を特徴とする。
（６）（１）または（２）に記載する潜熱蓄熱材組成物において、前記アニオンは、ヒドロキシメタンスルフィン酸イオン（ＣＨ３Ｏ３Ｓ−）であり、前記第２の無機塩水和物は、ヒドロキシメタンスルフィン酸塩であること、を特徴とする。
（７）（６）に記載する潜熱蓄熱材組成物において、前記ヒドロキシメタンスルフィン酸塩は、ヒドロキシメタンスルフィン酸ナトリウム二水和物（ＣＨ３ＮａＯ３Ｓ・２Ｈ２Ｏ）であること、を特徴とする。
（８）（７）に記載する潜熱蓄熱材組成物において、前記酢酸塩は、酢酸ナトリウム三水和物（ＣＨ３ＣＯＯＮａ・３Ｈ２Ｏ）であり、前記酢酸ナトリウム三水和物と前記ヒドロキシメタンスルフィン酸ナトリウム二水和物との配合割合は、
前記酢酸ナトリウム三水和物  ３０〜７０ｗｔ％
前記ヒドロキシメタンスルフィン酸ナトリウム二水和物  ７０〜３０ｗｔ％
であること、を特徴とする。
（９）（１）または（２）に記載する潜熱蓄熱材組成物において、前記アニオンは、亜リン酸水素イオン（ＨＰＯ３２−）であり、前記第２の無機塩水和物は、亜リン酸水素塩であること、を特徴とする。
（１０）（９）に記載する潜熱蓄熱材組成物において、前記亜リン酸水素塩は、亜リン酸水素二ナトリウム五水和物（Ｎａ２ＨＰＯ３・５Ｈ２Ｏ）であること、を特徴とする。
（１１）（１０）に記載する潜熱蓄熱材組成物において、前記酢酸塩は、酢酸ナトリウム三水和物（ＣＨ３ＣＯＯＮａ・３Ｈ２Ｏ）であり、前記酢酸ナトリウム三水和物と前記亜リン酸水素二ナトリウム五水和物との配合割合は、
前記酢酸ナトリウム三水和物  ３０〜７０ｗｔ％
前記亜リン酸水素二ナトリウム五水和物  ７０〜３０ｗｔ％
であること、を特徴とする。
（１２）（１）または（２）に記載する潜熱蓄熱材組成物において、前記アニオンは、酢酸イオン（ＣＨ３ＣＯＯ−）であり、前記第２の無機塩水和物は、酢酸塩であること、を特徴とする。
（１３）（１２）に記載する潜熱蓄熱材組成物において、前記酢酸塩は、酢酸リチウム二水和物（ＣＨ３ＣＯＯＬｉ・２Ｈ２Ｏ）であること、を特徴とする。
（１４）（１３）に記載する潜熱蓄熱材組成物において、前記第１の無機塩水和物の前記酢酸塩は、酢酸ナトリウム三水和物（ＣＨ３ＣＯＯＮａ・３Ｈ２Ｏ）であり、前記酢酸ナトリウム三水和物と前記酢酸リチウム二水和物との配合割合は、
前記酢酸ナトリウム三水和物  ３０〜５０ｗｔ％
前記酢酸リチウム二水和物  ７０〜５０ｗｔ％
であること、を特徴とする。
【発明の効果】
【００１３】
上記構成を有する本発明の潜熱蓄熱材組成物の作用・効果について説明する。
（１）相変化に伴う潜熱の出入りを利用して、蓄熱またはその放熱を行う無機塩水和物として、第１の無機塩水和物と、該第１の無機塩水和物と混合した化合物を含む潜熱蓄熱材組成物において、第１の無機塩水和物は、酢酸塩であること、化合物は、第１の無機塩水和物と、少なくとも１つの構成成分を異にした別の無機塩水和物であり、第１の無機塩水和物のカチオンの元素と同族に属した元素のカチオンと、少なくとも硫酸イオン、ヒドロキシメタンスルフィン酸イオン、亜リン酸水素イオン、または酢酸イオンのいずれかのアニオンにより、イオン結晶をなす第２の無機塩水和物であること、第１の無機塩水和物と第２の無機塩水和物との配合割合は、
第１の無機塩水和物  ２０〜８０ｗｔ％
第２の無機塩水和物  ８０〜２０ｗｔ％
であること、当該潜熱蓄熱材組成物は、第１の無機塩水和物単体の融点、または第２の無機塩水和物単体の融点と、相対的に７〜３７℃低い融点に調整された物性であること、を特徴とする。この特徴により、本発明の潜熱蓄熱材組成物は、例えば、２０℃前後〜５５℃前後等の温度帯域で相転移を行う物性の蓄熱材になり得るため、融点を、２０℃前後〜５０℃前後としたパラフィン系の潜熱蓄熱材に代えて、このような温度帯域の融点を必要とする工業用途や民生用途等、様々な幅広い分野で使用することができる。しかも、本発明の潜熱蓄熱材組成物は、体積当たりの潜熱の蓄熱量について、一般的なパラフィン系の潜熱蓄熱材の蓄熱量１７５〜１８５ｋＪ／Ｌを超え、例えば、２００ｋＪ／Ｌ超の熱量の潜熱を蓄えることができる。
【００１４】
従って、本発明に係る潜熱蓄熱材組成物によれば、２０℃〜５５℃の温度帯域で、相転移を行うことができると共に、パラフィン系の潜熱蓄熱材よりも大きな蓄熱量を得ることができる、という優れた効果を奏する。
【００１５】
（２）に記載する潜熱蓄熱材組成物において、酢酸塩は、酢酸ナトリウム三水和物（ＣＨ３ＣＯＯＮａ・３Ｈ２Ｏ）であること、を特徴とする。この特徴により、体積当たりの潜熱の蓄熱量について、酢酸ナトリウム三水和物単体での潜熱の蓄熱量は、４００ｋＪ／Ｌ近傍と、無機塩水和物系の潜熱蓄熱材の中でも、大きいことから、このような酢酸ナトリウム三水和物を含有した本発明の潜熱蓄熱材組成物は、蓄熱できる潜熱の蓄熱量について、３００ｋＪ／Ｌ超えも可能になる程、パラフィン系の潜熱蓄熱材の蓄熱量を大幅に上回った物性となり得る。しかも、第２の無機塩水和物の混合により、調整したい融点の温度帯域（２０℃前後〜５０℃前後）の上限側温度は、酢酸ナトリウム三水和物単体の融点５８℃に対し、僅か数℃の差異で近い。そのため、この温度帯域の下限側温度は、その融点５８℃より最大３７℃低い約２０℃近傍にまで調整することができ、本発明の潜熱蓄熱材組成物は、潜熱蓄熱材に蓄えた熱エネルギを活用するにあたり、２０℃前後〜５０℃前後で相転移を必要とした潜熱蓄熱材のニーズに、合致したものになり易い。
【００１６】
（３），（４）に記載する潜熱蓄熱材組成物において、第２の無機塩水和物は、例えば、硫酸ナトリウム十水和物（Ｎａ２ＳＯ４・１０Ｈ２Ｏ）、硫酸亜鉛七水和物（ＺｎＳＯ４・７Ｈ２Ｏ）等、アニオンを硫酸イオン（ＳＯ４２−）とした硫酸塩であること、を特徴とする。この特徴により、一例である硫酸ナトリウム十水和物単体は、潜熱の蓄熱量３５５ｋＪ／Ｌ程度と、無機塩水和物系の潜熱蓄熱材の中でも、より大きな蓄熱量の熱を蓄えることができることから、酢酸ナトリウム三水和物等の硫酸塩を含有した本発明の潜熱蓄熱材組成物も、その融点を、例えば、２０℃台等の温度帯域で、より高い熱量の熱を蓄えることが可能である。
【００１７】
（５）に記載する潜熱蓄熱材組成物において、酢酸塩は、酢酸ナトリウム三水和物（ＣＨ３ＣＯＯＮａ・３Ｈ２Ｏ）であり、酢酸ナトリウム三水和物と硫酸ナトリウム十水和物との配合割合は、
酢酸ナトリウム三水和物  ２０〜６０ｗｔ％
硫酸ナトリウム十水和物  ８０〜４０ｗｔ％
であること、を特徴とする。この特徴により、本発明の潜熱蓄熱材組成物は、このような幅広い配合割合の下で、融点を、例えば、約２３〜２５℃の温度帯域でほぼ一定に維持できると共に、３００ｋＪ／Ｌ等を超える高い熱量の潜熱を蓄えることができる。
【００１８】
（６），（７）に記載する潜熱蓄熱材組成物において、第２の無機塩水和物は、例えば、ヒドロキシメタンスルフィン酸ナトリウム二水和物（ＣＨ３ＮａＯ３Ｓ・２Ｈ２Ｏ）等、アニオンをヒドロキシメタンスルフィン酸イオン（ＣＨ３Ｏ３Ｓ−）としたヒドロキシメタンスルフィン酸塩であること、を特徴とする。この特徴により、一例であるヒドロキシメタンスルフィン酸ナトリウム二水和物単体は、潜熱の蓄熱量２６３ｋＪ／Ｌ程度と、無機塩水和物系の潜熱蓄熱材の中でも、大きな蓄熱量を保持することができることから、ヒドロキシメタンスルフィン酸ナトリウム二水和物等のヒドロキシメタンスルフィン酸塩を含有した本発明の潜熱蓄熱材組成物も、その融点を、例えば、４０℃台等の温度帯域で、より高い熱量の熱を蓄えることが可能である。
【００１９】
（８）に記載する潜熱蓄熱材組成物において、酢酸塩は、酢酸ナトリウム三水和物（ＣＨ３ＣＯＯＮａ・３Ｈ２Ｏ）であり、酢酸ナトリウム三水和物とヒドロキシメタンスルフィン酸ナトリウム二水和物との配合割合は、
酢酸ナトリウム三水和物  ３０〜７０ｗｔ％
ヒドロキシメタンスルフィン酸ナトリウム二水和物  ７０〜３０ｗｔ％
であること、を特徴とする。この特徴により、本発明の潜熱蓄熱材組成物は、このような幅広い配合割合の下で、融点を、例えば、約４６〜４７℃の温度帯域でほぼ一定に維持できると共に、３００ｋＪ／Ｌ等を超える高い熱量の潜熱を蓄えることができる。
【００２０】
（９），（１０）に記載する潜熱蓄熱材組成物において、第２の無機塩水和物は、例えば、亜リン酸水素二ナトリウム五水和物（Ｎａ２ＨＰＯ３・５Ｈ２Ｏ）、亜リン酸カルシウム一水和物（ＣａＨＰＯ３・Ｈ２Ｏ）等、アニオンを亜リン酸水素イオン（ＨＰＯ３２−）とした亜リン酸水素塩であること、を特徴とする。この特徴により、一例である亜リン酸水素二ナトリウム五水和物単体は、潜熱の蓄熱量３５９ｋＪ／Ｌ程度と、無機塩水和物系の潜熱蓄熱材の中でも、大きな蓄熱量を保持することができることから、亜リン酸水素二ナトリウム五水和物等の亜リン酸水素塩を含有した本発明の潜熱蓄熱材組成物も、その融点を、例えば、５０℃近傍等の温度帯域で、より高い熱量の熱を蓄えることが可能である。
【００２１】
（１１）に記載する潜熱蓄熱材組成物において、酢酸塩は、酢酸ナトリウム三水和物（ＣＨ３ＣＯＯＮａ・３Ｈ２Ｏ）であり、酢酸ナトリウム三水和物と亜リン酸水素二ナトリウム五水和物との配合割合は、
酢酸ナトリウム三水和物  ３０〜７０ｗｔ％
亜リン酸水素二ナトリウム五水和物  ７０〜３０ｗｔ％
であること、を特徴とする。この特徴により、本発明の潜熱蓄熱材組成物は、このような幅広い配合割合の下で、融点を、例えば、約５０〜５２℃の温度帯域でほぼ一定に維持できると共に、３４０ｋＪ／Ｌ等を超える高い熱量の潜熱を、蓄えることが可能である。
【００２２】
（１２），（１３）に記載する潜熱蓄熱材組成物において、第２の無機塩水和物は、例えば、酢酸リチウム二水和物（ＣＨ３ＣＯＯＬｉ・２Ｈ２Ｏ）、酢酸亜鉛二水和物（（ＣＨ３ＣＯＯ）２Ｚｎ・２Ｈ２Ｏ）等、アニオンを酢酸イオン（ＣＨ３ＣＯＯ−）とした酢酸塩であること、を特徴とする。この特徴により、第２の無機塩水和物は、第１の無機塩水和物の酢酸塩とは異なる構成成分の酢酸塩とした上で、第２の無機塩水和物の一例である酢酸リチウム二水和物単体は、潜熱の蓄熱量３００ｋＪ／Ｌ程度と、無機塩水和物系の潜熱蓄熱材の中でも、大きな蓄熱量を保持することができる。そのため、酢酸リチウム二水和物等の酢酸塩を含有した本発明の潜熱蓄熱材組成物も、その融点を、例えば、３０℃台等の温度帯域で、より高い熱量の熱を蓄えることが可能である。
【００２３】
（１４）に記載する潜熱蓄熱材組成物において、第１の無機塩水和物の酢酸塩は、酢酸ナトリウム三水和物（ＣＨ３ＣＯＯＮａ・３Ｈ２Ｏ）であり、酢酸ナトリウム三水和物と酢酸リチウム二水和物との配合割合は、
酢酸ナトリウム三水和物  ３０〜５０ｗｔ％
酢酸リチウム二水和物  ７０〜５０ｗｔ％
であること、を特徴とする。この特徴により、本発明の潜熱蓄熱材組成物は、このような幅広い配合割合の下で、融点を、例えば、約３６〜３７℃の温度帯域でほぼ一定に維持できると共に、３００ｋＪ／Ｌ等を超える高い熱量の潜熱を蓄えることができる。
【図面の簡単な説明】
【００２４】
【図１】実施形態の実施例１〜４に係る潜熱蓄熱材組成物の構成成分を模式的に示す図である。
【図２】実施例１に係る潜熱蓄熱材組成物に関し、実施例１及びその比較例１の実験条件と、ＤＳＣによる融点及び蓄熱量の測定結果をまとめて掲載した表である。
【図３】比較例１の実験１に係る潜熱蓄熱材組成物の融点及び蓄熱量を示すグラフであり、硫酸ナトリウム十水和物（第２の潜熱蓄熱材）を加えず、主成分を酢酸ナトリウム三水和物（第１の潜熱蓄熱材）だけとした場合の実験結果を示すグラフである。
【図４】比較例１の実験２に係る潜熱蓄熱材組成物の融点及び蓄熱量を示すグラフであり、酢酸ナトリウム三水和物（第１の潜熱蓄熱材）を加えず、主成分を硫酸ナトリウム十水和物（第２の潜熱蓄熱材）だけとした場合の実験結果を示すグラフである。
【図５】比較例１の実験３に係る潜熱蓄熱材組成物の融点及び蓄熱量を示すグラフであり、第１の潜熱蓄熱材と第２の潜熱蓄熱材とを７対３の割合で配合した場合の実験結果を示すグラフである。
【図６】実施例１の実験４に係る潜熱蓄熱材組成物の融点及び蓄熱量を示すグラフであり、第１の潜熱蓄熱材と第２の潜熱蓄熱材とを３対２の割合で配合した場合の実験結果を示すグラフである。
【図７】実施例１の実験５に係る潜熱蓄熱材組成物の融点及び蓄熱量を示すグラフであり、第１の潜熱蓄熱材と第２の潜熱蓄熱材とを１対１の割合で配合した場合の実験結果を示すグラフである。
【図８】実施例１の実験６に係る潜熱蓄熱材組成物の融点及び蓄熱量を示すグラフであり、第１の潜熱蓄熱材と第２の潜熱蓄熱材とを２対３の割合で配合した場合の実験結果を示すグラフである。
【図９】実施例１の実験７に係る潜熱蓄熱材組成物の融点及び蓄熱量を示すグラフであり、第１の潜熱蓄熱材と第２の潜熱蓄熱材とを３対７の割合で配合した場合の実験結果を示すグラフである。
【図１０】実施例１の実験８に係る潜熱蓄熱材組成物の融点及び蓄熱量を示すグラフであり、第１の潜熱蓄熱材と第２の潜熱蓄熱材とを１対４の割合で配合した場合の実験結果を示すグラフである。
【図１１】実施例１の実験９に係る潜熱蓄熱材組成物の融点及び蓄熱量を示すグラフであり、第１の潜熱蓄熱材と第２の潜熱蓄熱材とを１対９の割合で配合した場合の実験結果を示すグラフである。
【図１２】実施例２に係る潜熱蓄熱材組成物に関し、実施例２及びその比較例２の実験条件と、ＤＳＣによる融点及び蓄熱量の測定結果をまとめて掲載した表である。
【図１３】比較例２の実験１０に係る潜熱蓄熱材組成物の融点及び蓄熱量を示すグラフであり、酢酸ナトリウム三水和物（第１の潜熱蓄熱材）を加えず、主成分をヒドロキシメタンスルフィン酸ナトリウム二水和物（第２の潜熱蓄熱材）だけとした場合の実験結果を示すグラフである。
【図１４】実施例２の実験１１に係る潜熱蓄熱材組成物の融点及び蓄熱量を示すグラフであり、第１の潜熱蓄熱材と第２の潜熱蓄熱材とを７対３の割合で配合した場合の実験結果を示すグラフである。
【図１５】実施例２の実験１２に係る潜熱蓄熱材組成物の融点及び蓄熱量を示すグラフであり、第１の潜熱蓄熱材と第２の潜熱蓄熱材とを１対１の割合で配合した場合の実験結果を示すグラフである。
【図１６】実施例２の実験１３に係る潜熱蓄熱材組成物の融点及び蓄熱量を示すグラフであり、第１の潜熱蓄熱材と第２の潜熱蓄熱材とを３対７の割合で配合した場合の実験結果を示すグラフである。
【図１７】実施例３に係る潜熱蓄熱材組成物に関し、実施例３及びその比較例３の実験条件と、ＤＳＣによる融点及び蓄熱量の測定結果をまとめて掲載した表である。
【図１８】比較例３の実験１４に係る潜熱蓄熱材組成物の融点及び蓄熱量を示すグラフであり、酢酸ナトリウム三水和物（第１の潜熱蓄熱材）を加えず、主成分を亜リン酸水素二ナトリウム五水和物（第２の潜熱蓄熱材）だけとした場合の実験結果を示すグラフである。
【図１９】実施例３の実験１５に係る潜熱蓄熱材組成物の融点及び蓄熱量を示すグラフであり、第１の潜熱蓄熱材と第２の潜熱蓄熱材とを７対３の割合で配合した場合の実験結果を示すグラフである。
【図２０】実施例３の実験１６に係る潜熱蓄熱材組成物の融点及び蓄熱量を示すグラフであり、第１の潜熱蓄熱材と第２の潜熱蓄熱材とを１対１の割合で配合した場合の実験結果を示すグラフである。
【図２１】実施例３の実験１７に係る潜熱蓄熱材組成物の融点及び蓄熱量を示すグラフであり、第１の潜熱蓄熱材と第２の潜熱蓄熱材とを３対７の割合で配合した場合の実験結果を示すグラフである。
【図２２】実施例４に係る潜熱蓄熱材組成物に関し、実施例４及びその比較例４の実験条件と、ＤＳＣによる融点及び蓄熱量の測定結果をまとめて掲載した表である。
【図２３】比較例４の実験１８に係る潜熱蓄熱材組成物の融点及び蓄熱量を示すグラフであり、酢酸ナトリウム三水和物（第１の潜熱蓄熱材）を加えず、主成分を酢酸リチウム二水和物（第２の潜熱蓄熱材）だけとした場合の実験結果を示すグラフである。
【図２４】実施例４の実験２１に係る潜熱蓄熱材組成物の融点及び蓄熱量を示すグラフであり、第１の潜熱蓄熱材と第２の潜熱蓄熱材とを１対１の割合で配合した場合の実験結果を示すグラフである。
【図２５】実施例４の実験２２に係る潜熱蓄熱材組成物の融点及び蓄熱量を示すグラフであり、第１の潜熱蓄熱材と第２の潜熱蓄熱材とを３対７の割合で配合した場合の実験結果を示すグラフである。
【発明を実施するための形態】
【００２５】
（実施形態）
以下、本発明に係る潜熱蓄熱材組成物について、実施形態（実施例１〜４）を図面に基づいて詳細に説明する。図１は、実施形態に係る潜熱蓄熱材組成物の構成成分を模式的に示す図である。
【００２６】
本実施形態に係る潜熱蓄熱材組成物１は、相変化に伴う潜熱の出入りを利用して、蓄熱またはその放熱を行う無機塩水和物として、酢酸塩からなる第１の潜熱蓄熱材１０（第１の無機塩水和物）と、この第１の潜熱蓄熱材１０と混合した化合物２０を含む。化合物２０は、無機塩水和物として、第１の潜熱蓄熱材１０とは別の第２の潜熱蓄熱材２０（第２の無機塩水和物）である。すなわち、潜熱蓄熱材組成物１は、第１の潜熱蓄熱材１０と第２の潜熱蓄熱材２０による２種の潜熱蓄熱材を混合した共融混合物であり、液相と固相との相変化を、２０℃近傍〜５５℃前後の温度帯域に調整された潜熱蓄熱材である。
【００２７】
第１の潜熱蓄熱材１０と第２の潜熱蓄熱材２０との配合割合では、第１の潜熱蓄熱材１０が２０〜８０ｗｔ％であり、第２の潜熱蓄熱材２０が８０〜２０ｗｔ％であり、潜熱蓄熱材組成物１は、第１の潜熱蓄熱材１０単体の融点、または第２の潜熱蓄熱材２０単体の融点と、相対的に７〜３７℃低く融点を調整した物性である。
【００２８】
潜熱蓄熱材組成物１の用途は、調整したい融点の温度帯によって異なる。例えば、融点が２０℃台の温度帯域の場合、前述したように、潜熱蓄熱材組成物１は、省エネルギ化対策を施した住宅の壁や床等に配設され、昼間、太陽光による熱を潜熱蓄熱材組成物１に蓄熱することで、室温の上昇を抑制すると共に、その潜熱を夜間、放熱することにより、室温の下降を抑制することができる。これにより、人にとって快適な温度である室温２０℃台の居住空間が、後述するような、実施例１に係る潜熱蓄熱材組成物１Ａ（１）によって提供できるようになる。
【００２９】
また、融点が２０℃台〜４０℃台の温度帯域の場合には、後述するような、実施例２，４に係る潜熱蓄熱材組成物１Ｂ，１Ｄ（１）は、特許文献１と同様に、医療用途の使用や、医療用物品の保温等に用いることもできる。また、融点が５０℃前後の温度帯域の場合では、後述するような、実施例２，３に係る潜熱蓄熱材組成物１Ｂ，１Ｃ（１）は、日常の食生活上の用途として、蓄えた潜熱を放熱することにより、配膳するまでの間、給食や料理を保温する場合や、食事するまでの間、弁当や食材を保温する場合等、様々な目的で活用し得る。
【００３０】
このような潜熱蓄熱材組成物１は、蓄熱材充填容器（図示省略）に漏れのない態様で、液密かつ気密に充填され、潜熱蓄熱材組成物１を充填した蓄熱材充填容器は、熱エネルギの活用を図る所定の収容手段の空間内に収容される。潜熱蓄熱材組成物１は、充填された蓄熱材充填容器の内外で、液相と固相との相変化に伴った潜熱の出入りを利用して、蓄えた熱を必要に応じて取り出すことができ、蓄熱とその放熱のサイクルを複数回繰り返して使用される。
【００３１】
（実施例１）
はじめに、実施例１に係る潜熱蓄熱材組成物１Ａ（１）の概要について、説明する。実施例１に係る潜熱蓄熱材組成物１は、第１の潜熱蓄熱材１０を、酢酸塩の一種である酢酸ナトリウム三水和物（ＣＨ３ＣＯＯＮａ・３Ｈ２Ｏ）とし、第２の潜熱蓄熱材２０を、硫酸塩の一種である硫酸ナトリウム十水和物（Ｎａ２ＳＯ４・１０Ｈ２Ｏ）（第２の潜熱蓄熱材２０Ａ）として、酢酸ナトリウム三水和物と硫酸ナトリウム十水和物とを混合させた潜熱蓄熱材組成物１Ａである。
【００３２】
酢酸ナトリウム三水和物単体の物性は、水和数３、分子量［ｇ／ｍｏｌ］１３６．０８、融点約５８℃、融点より低い温度では、水に易溶な固体の物質である。硫酸ナトリウム十水和物単体の物性は、水和数１０、分子量［ｇ／ｍｏｌ］３２２．２１、融点３２．３８℃、融点より低い温度では、水に可溶な固体の物質である。酢酸ナトリウム三水和物と硫酸ナトリウム十水和物との配合割合は、酢酸ナトリウム三水和物２０〜６０ｗｔ％、硫酸ナトリウム十水和物８０〜４０ｗｔ％であり、潜熱蓄熱材組成物１Ａの融点は、約２３〜２５℃の温度帯域に調整されている。
【００３３】
次に、潜熱蓄熱材組成物１Ａにおいて、潜熱蓄熱材同士を２種（第１の潜熱蓄熱材１０，第２の潜熱蓄熱材２０Ａ）混ぜ合わせたことにより、融点と蓄熱の性能に与える影響を確認する目的で、実験１〜９の検証実験を行った。実験１，２は、潜熱蓄熱材を１種だけの試料で行った比較例１に係る実験である。実験３は、潜熱蓄熱材を２種混ぜ合わせた試料で行った比較例１に係る実験である。実験４〜９は、潜熱蓄熱材を２種混ぜ合わせた試料で行った実施例１に係る実験である。
【００３４】
＜実験方法＞
検証実験では、潜熱蓄熱材組成物１Ａから試料約１０ｍｇを採取した上で、周知の示差走査熱量測定装置（DSC：Differential scanning calorimetry）により、その試料台に載せた試料約１０ｍｇに空気３０ｍｌ／ｍｉｎ．の雰囲気ガスを晒し、密閉した状態にある条件下で、試料の蓄熱量を測定した。具体的には、試料を、３０℃から６０．５℃になるまで２℃／ｍｉｎ．の加熱速度で加熱し、その後、６０．５℃の温度で２０分間保持することにより、試料に蓄熱を行った。この間に、試料から出入りした熱量を測定し、蓄熱量を求めた。但し、実験１では、試料は、融点約５８℃の第１の潜熱蓄熱材１０（酢酸ナトリウム三水和物）単体であるため、酢酸ナトリウム三水和物を確実に融解した状態にするために、加熱して保持する温度を８０．５℃とした。
【００３５】
＜実験１〜９の共通条件＞
・第１の潜熱蓄熱材１０；酢酸ナトリウム三水和物（ＣＨ３ＣＯＯＮａ・３Ｈ２Ｏ）
＜実験２〜９の共通条件＞
・第２の潜熱蓄熱材２０Ａ；硫酸ナトリウム十水和物（Ｎａ２ＳＯ４・１０Ｈ２Ｏ）
＜実験３〜９の共通条件＞
・潜熱蓄熱材組成物１Ａ；酢酸ナトリウム三水和物と硫酸ナトリウム十水和物との混合物
【００３６】
＜実験１の条件＞
・第２の潜熱蓄熱材２０Ａ；配合せず
・第１の潜熱蓄熱材１０の配合割合；１００ｗｔ％
（第１の潜熱蓄熱材１０：第２の潜熱蓄熱材２０Ａ＝１００：０）
＜実験２の条件＞
・第１の潜熱蓄熱材１０；配合せず
・第２の潜熱蓄熱材２０Ａの配合割合；１００ｗｔ％
（第１の潜熱蓄熱材１０：第２の潜熱蓄熱材２０Ａ＝０：１００）
＜実験３〜９の条件＞
・第１の潜熱蓄熱材１０と第２の潜熱蓄熱材２０Ａとの配合割合
７０ｗｔ％：３０ｗｔ％（実験３）、６０ｗｔ％：４０ｗｔ％（実験４）、５０ｗｔ％：５０ｗｔ％（実験５）、４０ｗｔ％：６０ｗｔ％（実験６）、３０ｗｔ％：７０ｗｔ％（実験７）、２０ｗｔ％：８０ｗｔ％（実験８）、１０ｗｔ％：９０ｗｔ％（実験９）
【００３７】
図２は、実施例１に係る潜熱蓄熱材組成物に関し、実施例１及びその比較例１の実験条件と、ＤＳＣによる融点及び蓄熱量の測定結果をまとめて掲載した表である。図３は、比較例１の実験１に係る潜熱蓄熱材組成物の融点及び蓄熱量を示すグラフであり、硫酸ナトリウム十水和物（第２の潜熱蓄熱材）を加えず、主成分を酢酸ナトリウム三水和物（第１の潜熱蓄熱材）だけとした場合の実験結果を示すグラフである。図４は、比較例１の実験２に係る潜熱蓄熱材組成物の融点及び蓄熱量を示すグラフであり、酢酸ナトリウム三水和物（第１の潜熱蓄熱材）を加えず、主成分を硫酸ナトリウム十水和物（第２の潜熱蓄熱材）だけとした場合の実験結果を示すグラフである。図５は、比較例１の実験３に係る潜熱蓄熱材組成物の融点及び蓄熱量を示すグラフであり、第１の潜熱蓄熱材と第２の潜熱蓄熱材とを７対３の割合で配合した場合の実験結果を示すグラフである。図６は、実施例１の実験４に係る潜熱蓄熱材組成物の融点及び蓄熱量を示すグラフであり、第１の潜熱蓄熱材と第２の潜熱蓄熱材とを３対２の割合で配合した場合の実験結果を示すグラフである。図７は、実施例１の実験５に係る潜熱蓄熱材組成物の融点及び蓄熱量を示すグラフであり、第１の潜熱蓄熱材と第２の潜熱蓄熱材とを１対１の割合で配合した場合の実験結果を示すグラフである。図８は、実施例１の実験６に係る潜熱蓄熱材組成物の融点及び蓄熱量を示すグラフであり、第１の潜熱蓄熱材と第２の潜熱蓄熱材とを２対３の割合で配合した場合の実験結果を示すグラフである。図９は、実施例１の実験７に係る潜熱蓄熱材組成物の融点及び蓄熱量を示すグラフであり、第１の潜熱蓄熱材と第２の潜熱蓄熱材とを３対７の割合で配合した場合の実験結果を示すグラフである。図１０は、実施例１の実験８に係る潜熱蓄熱材組成物の融点及び蓄熱量を示すグラフであり、第１の潜熱蓄熱材と第２の潜熱蓄熱材とを１対４の割合で配合した場合の実験結果を示すグラフである。図１１は、実施例１の実験９に係る潜熱蓄熱材組成物の融点及び蓄熱量を示すグラフであり、第１の潜熱蓄熱材と第２の潜熱蓄熱材とを１対９の割合で配合した場合の実験結果を示すグラフである。
【００３８】
図３〜図１１に示すグラフでは、縦軸左側の目盛りが、単位時間に試料で蓄熱または放熱した熱量を示しており、この目盛りの「負」の領域は、試料に吸熱される熱量を示し、「正」の領域は、試料から放熱される熱量を示す。また、試料は、時間経過と共に推移する熱量の線図の中で、熱量の絶対値が一時的に大きくなり、最大値（ピークトップ）に達した時刻ｔに対応する試料の温度Ｔ（融点と定義）となったとき、最大の蓄熱量を呈する条件となる。試料の融解潜熱は、熱量の線図の中で、蓄熱量のピーク（融解ピーク）の開始時間と終了時間との間で、熱量を積算して得られるピーク面積Ｓ（図３等の図中、斜線の部分）の大きさで示されている。また、試料の熱量の単位は〔ｍＷ〕で、試料の質量の単位は〔ｍｇ〕であるが、単位換算を行った上で、蓄熱量の単位は、〔ｋＪ／Ｌ〕としている。実施例２以降の各グラフについても同様である。
【００３９】
＜実験結果＞
比較例１の実験１に係る第１の潜熱蓄熱材１０単体では、図３に示すように、融解ピークの時刻ｔａに対応する温度Ｔａは６０．３℃で、蓄熱量Ｓａは４００ｋＪ／Ｌであった。比較例１の実験２に係る第２の潜熱蓄熱材２０Ａ単体では、図４に示すように、融解ピークの時刻ｔｂに対応する温度Ｔｂは３５．０℃で、蓄熱量Ｓｂは３５５ｋＪ／Ｌであった。比較例１の実験３に係る潜熱蓄熱材組成物１Ａでは、図５に示すように、２０〜６０℃の幅広い範囲にわたり、比較的小さな融解ピークが分散して発現し、吸熱の挙動も融解ピーク毎に生じたが、融解ピークの最大値は明確に現れず、融点として定義できなかった。なお、発現した融解ピーク全体の蓄熱量Ｓｃは３４２ｋＪ／Ｌであった。
【００４０】
実施例１の実験４に係る潜熱蓄熱材組成物１Ａでは、図６に示すように、融解ピークの時刻ｔｄに対応する温度Ｔｄは２４．０℃で、蓄熱量Ｓｄは３０１ｋＪ／Ｌであった。実施例１の実験５に係る潜熱蓄熱材組成物１Ａでは、図７に示すように、融解ピークの時刻ｔｅに対応する温度Ｔｅは２３．８℃で、蓄熱量Ｓｅは２３０ｋＪ／Ｌであった。実施例１の実験６に係る潜熱蓄熱材組成物１Ａでは、図８に示すように、融解ピークの時刻ｔｆに対応する温度Ｔｆは２４．８℃で、蓄熱量Ｓｆは２８１ｋＪ／Ｌであった。実施例１の実験７に係る潜熱蓄熱材組成物１Ａでは、図９に示すように、融解ピークの時刻ｔｇに対応する温度Ｔｇは２３．１℃で、蓄熱量Ｓｇは３１２ｋＪ／Ｌであった。実施例１の実験８に係る潜熱蓄熱材組成物１Ａでは、図１０に示すように、融解ピークの時刻ｔｈに対応する温度Ｔｈは２５．４℃で、蓄熱量Ｓｈは３２１ｋＪ／Ｌであった。実施例１の実験８に係る潜熱蓄熱材組成物１Ａでは、図１１に示すように、第１の融解ピークの時刻ｔｊ１に対応する温度Ｔｊ１は２３．４℃、第２の融解ピークの時刻ｔｊ２に対応する温度Ｔｊ２は３１．７℃で、蓄熱量Ｓｊは３２１ｋＪ／Ｌであった。
【００４１】
＜考察＞
比較例１に係る実験１の結果は、一般的に知られている酢酸ナトリウム三水和物（第１の潜熱蓄熱材１０）の融点５８℃（実験１の測定値は６０．３℃）と概ね一致し、実験２の結果は、一般的に知られている硫酸ナトリウム十水和物（第２の潜熱蓄熱材２０Ａ）の融点約３３℃（実験２の測定値は３５．０℃）と概ね一致している。比較例１に係る実験３では、第１の潜熱蓄熱材１０と第２の潜熱蓄熱材２０Ａとが７：３の配合割合になると、比較的小さな融解ピークが分散する結果となった。その理由については、実施例１の実験９に係る考察内容と同じであると考えられるため、ここでの説明を省いて、後述する実施例１の考察欄でまとめて説明する。
【００４２】
これに対し、実施例１に係る実験４〜９では、潜熱蓄熱材組成物１Ａは、酢酸ナトリウム三水和物（第１の潜熱蓄熱材１０）と、硫酸ナトリウム十水和物（第２の潜熱蓄熱材２０Ａ）とを混合した共融混合物である。そのため、第１の潜熱蓄熱材１０と第２の潜熱蓄熱材２０Ａとが共晶反応を呈し、潜熱蓄熱材組成物１Ａが固相状態になると、潜熱蓄熱材組成物１Ａの結晶構造が、第１の潜熱蓄熱材１０による結晶と、第２の潜熱蓄熱材２０Ａによる結晶とに基づく共晶組織をなすものと推察される。この共晶組織の発現により、共晶反応特有の事象として、物性の一つである潜熱蓄熱材組成物１Ａの融点が、第１の潜熱蓄熱材１０単体の融点や、第２の潜熱蓄熱材２０Ａ単体の融点と比べて低くなったものと考えられる。また、第１の潜熱蓄熱材１０と第２の潜熱蓄熱材２０Ａは何れも、元々３５０ｋＪ／Ｌを超える蓄熱量の熱を蓄えることができている上に、第１の潜熱蓄熱材１０と第２の潜熱蓄熱材２０Ａとの共晶反応により、潜熱蓄熱材組成物１Ａ全体の蓄熱量を低下させる阻害要因が生じていないものと推察される。それ故に、このような第１の潜熱蓄熱材１０と第２の潜熱蓄熱材２０Ａを配合した潜熱蓄熱材組成物１Ａでも、より高い蓄熱量を維持することができているものと考えられる。
【００４３】
なお、第１の潜熱蓄熱材１０と第２の潜熱蓄熱材２０Ａとの配合割合が、１：１の場合である実験５と、２：３の場合である実験６で、蓄熱量Ｓｅ，Ｓｆが、それ以外の蓄熱量Ｓｄ〜蓄熱量Ｓｊに比べ、約１０〜３０％減になったが、その理由については、現段階で解明できていない。加えて、実験９では、第１の潜熱蓄熱材１０と第２の潜熱蓄熱材２０Ａとが１：９の配合割合になると、融解ピークが複数に分かれてしまう現象が生じた。また、比較例１に係る実験３では、第１の潜熱蓄熱材１０と第２の潜熱蓄熱材２０Ａとが７：３の配合割合になると、比較的小さな融解ピークが分散する結果となった。
【００４４】
このような結果となった理由として、潜熱蓄熱材組成物１Ａは、液相状態にある第１の潜熱蓄熱材１０の構成成分（酢酸ナトリウム）と、液相状態にある第２の潜熱蓄熱材２０Ａの構成成分（硫酸ナトリウム）とを混ぜ合わせ、共晶反応により生成された共融混合物である。共融混合物は、共融温度で温度を一定に保ちながら、液相から固相、または固相から液相に相変化する。他方、共融混合物である潜熱蓄熱材組成物１Ａにおいて、固溶体の生成にあたり、第１の潜熱蓄熱材１０と第２の潜熱蓄熱材２０Ａとの配合割合で、第１の潜熱蓄熱材１０の配合割合に対し、混合する第２の潜熱蓄熱材２０Ａの配合割合に制限が存在すると共に、第２の潜熱蓄熱材２０Ａの配合割合に対し、混合する潜熱蓄熱材１０の配合割合に制限が存在する。
【００４５】
そのため、第１の潜熱蓄熱材１０と第２の潜熱蓄熱材２０Ａとが、このような制限を回避する割合で配合されていないと、第１の潜熱蓄熱材１０または第２の潜熱蓄熱材２０Ａのいずれかの潜熱蓄熱材で、この制限を超えて配合された分の過剰な構成成分において、共晶組織が生成できず、その構成成分は、初晶として、固相状態のまま残ってしまう。このような初晶は、共融温度と異なる温度で、液相化しようとする。すなわち、潜熱蓄熱材組成物１Ａでは、第１の潜熱蓄熱材１０と第２の潜熱蓄熱材２０Ａとの共晶反応により共晶組織をなす混合物の共融温度で、一つの融解ピークが発現すると共に、この共晶反応で過剰分となり、固相状態で残ってしまっている初晶の融解に起因して、別の融解ピークが発現したものと考えられる。
【００４６】
それ故に、比較例１に係る実験３では、第１の潜熱蓄熱材１０と第２の潜熱蓄熱材２０Ａとが７：３の配合割合になっているため、潜熱蓄熱材組成物１Ａには、第１の潜熱蓄熱材１０の構成成分が、第２の潜熱蓄熱材２０Ａに対し過剰な割合になっているものと考えられ、比較的小さな融解ピークが分散したものと推察される。実施例１に係る実験９では、第１の潜熱蓄熱材１０と第２の潜熱蓄熱材２０Ａとが１：９の配合割合になっているため、潜熱蓄熱材組成物１Ａには、第２の潜熱蓄熱材２０Ａの構成成分が、第１の潜熱蓄熱材１０に対し過剰な割合になっているものと考えられ、融解ピークが２つに分かれたものと推察される。従って、潜熱蓄熱材組成物１Ａは、酢酸ナトリウム三水和物と硫酸ナトリウム十水和物を、酢酸ナトリウム三水和物２０〜６０ｗｔ％、硫酸ナトリウム十水和物８０〜４０ｗｔ％の配合割合で混合したものであることが好ましい。
【００４７】
（実施例２）
次に、実施例２に係る潜熱蓄熱材組成物１Ｂ（１）の概要について、説明する。実施例２に係る潜熱蓄熱材組成物１は、第１の潜熱蓄熱材１０を、酢酸塩の一種である酢酸ナトリウム三水和物（ＣＨ３ＣＯＯＮａ・３Ｈ２Ｏ）とし、第２の潜熱蓄熱材２０を、ヒドロキシメタンスルフィン酸塩の一種であるヒドロキシメタンスルフィン酸ナトリウム二水和物（ＣＨ３ＮａＯ３Ｓ・２Ｈ２Ｏ）（第２の潜熱蓄熱材２０Ｂ）として、酢酸ナトリウム三水和物とヒドロキシメタンスルフィン酸ナトリウム二水和物とを混合させた潜熱蓄熱材組成物１Ｂである。
【００４８】
酢酸ナトリウム三水和物単体の物性は、水和数３、分子量［ｇ／ｍｏｌ］１３６．０８、融点約５８℃、融点より低い温度では、水に易溶な固体の物質である。ヒドロキシメタンスルフィン酸ナトリウム二水和物の物性は、水和数２、分子量［ｇ／ｍｏｌ］１５４．１２、融点約６５℃、融点より低い温度では、水に易溶な固体の物質である。酢酸ナトリウム三水和物とヒドロキシメタンスルフィン酸ナトリウム二水和物との配合割合は、酢酸ナトリウム三水和物３０〜７０ｗｔ％、ヒドロキシメタンスルフィン酸ナトリウム二水和物７０〜３０ｗｔ％であり、潜熱蓄熱材組成物１Ｂの融点は、約４６〜４８℃の温度帯域に調整されている。
【００４９】
次に、潜熱蓄熱材組成物１Ｂにおいて、潜熱蓄熱材同士を２種（第１の潜熱蓄熱材１０，第２の潜熱蓄熱材２０Ｂ）混ぜ合わせたことにより、融点と蓄熱の性能に与える影響を確認する目的で、前述した実験１と、実験１０〜１３の検証実験を行った。実験１，１０は、潜熱蓄熱材を１種だけの試料で行った比較例２に係る実験である。実験１１〜１３は、潜熱蓄熱材を２種混ぜ合わせた試料で行った実施例２に係る実験である。
【００５０】
＜実験方法＞
検証実験では、潜熱蓄熱材組成物１Ｂから試料約１０ｍｇを採取した上で、示差走査熱量測定装置により、その試料台に載せた試料約１０ｍｇに空気３０ｍｌ／ｍｉｎ．の雰囲気ガスを晒し、密閉した状態にある条件下で、試料の蓄熱量を測定した。具体的には、試料を、３０℃から８０．５℃になるまで２℃／ｍｉｎ．の加熱速度で加熱し、その後、８０．５℃の温度で２０分間保持することにより、試料に蓄熱を行った。この間に、試料から出入りした熱量を測定し、蓄熱量を求めた。但し、実験１０では、試料は、融点約６５℃の第２の潜熱蓄熱材２０Ｂ（ヒドロキシメタンスルフィン酸ナトリウム二水和物）単体であるため、ヒドロキシメタンスルフィン酸ナトリウム二水和物を確実に融解した状態にするために、加熱して保持する温度を９０．５℃とした。
【００５１】
＜実験１と実験１１〜１３の共通条件＞
・第１の潜熱蓄熱材１０；酢酸ナトリウム三水和物（ＣＨ３ＣＯＯＮａ・３Ｈ２Ｏ）
＜実験１０〜１３の共通条件＞
・第２の潜熱蓄熱材２０Ｂ；ヒドロキシメタンスルフィン酸ナトリウム二水和物（ＣＨ３ＮａＯ３Ｓ・２Ｈ２Ｏ）
＜実験１０〜１３の共通条件＞
・潜熱蓄熱材組成物１Ｂ；酢酸ナトリウム三水和物とヒドロキシメタンスルフィン酸ナトリウム二水和物との混合物
【００５２】
＜実験１の条件＞
・第２の潜熱蓄熱材２０Ｂ；配合せず
・第１の潜熱蓄熱材１０の配合割合；１００ｗｔ％
（第１の潜熱蓄熱材１０：第２の潜熱蓄熱材２０Ｂ＝１００：０）
＜実験１０の条件＞
・第１の潜熱蓄熱材１０；配合せず
・第２の潜熱蓄熱材２０Ｂの配合割合；１００ｗｔ％
（第１の潜熱蓄熱材１０：第２の潜熱蓄熱材２０Ｂ＝０：１００）
＜実験１１〜１３の条件＞
・第１の潜熱蓄熱材１０と第２の潜熱蓄熱材２０Ｂとの配合割合
７０ｗｔ％：３０ｗｔ％（実験１１）、５０ｗｔ％：５０ｗｔ％（実験１２）、３０ｗｔ％：７０ｗｔ％（実験１３）
【００５３】
図１２は、実施例２に係る潜熱蓄熱材組成物に関し、実施例２及びその比較例２の実験条件と、ＤＳＣによる融点及び蓄熱量の測定結果をまとめて掲載した表である。図１３は、比較例２の実験１０に係る潜熱蓄熱材組成物の融点及び蓄熱量を示すグラフであり、酢酸ナトリウム三水和物（第１の潜熱蓄熱材）を加えず、主成分をヒドロキシメタンスルフィン酸ナトリウム二水和物（第２の潜熱蓄熱材）だけとした場合の実験結果を示すグラフである。図１４は、実施例２の実験１１に係る潜熱蓄熱材組成物の融点及び蓄熱量を示すグラフであり、第１の潜熱蓄熱材と第２の潜熱蓄熱材とを７対３の割合で配合した場合の実験結果を示すグラフである。図１５は、実施例２の実験１２に係る潜熱蓄熱材組成物の融点及び蓄熱量を示すグラフであり、第１の潜熱蓄熱材と第２の潜熱蓄熱材とを１対１の割合で配合した場合の実験結果を示すグラフである。図１６は、実施例２の実験１３に係る潜熱蓄熱材組成物の融点及び蓄熱量を示すグラフであり、第１の潜熱蓄熱材と第２の潜熱蓄熱材とを３対７の割合で配合した場合の実験結果を示すグラフである。
【００５４】
＜実験結果＞
実施例１でも前述した通り、比較例２の実験１に係る第１の潜熱蓄熱材１０単体では、図３に示すように、融解ピークの時刻ｔａに対応する温度Ｔａは６０．３℃で、蓄熱量Ｓａは４００ｋＪ／Ｌであった。比較例２の実験１０に係る第２の潜熱蓄熱材２０Ｂ単体では、図１３に示すように、融解ピークの時刻ｔｋに対応する温度Ｔｋは６６．３℃で、蓄熱量Ｓｋは２６３ｋＪ／Ｌであった。
【００５５】
実施例２の実験１１に係る潜熱蓄熱材組成物１Ｂでは、図１４に示すように、融解ピークの時刻ｔｍに対応する温度Ｔｍは４７．６℃で、蓄熱量Ｓｍは３５５ｋＪ／Ｌであった。実施例２の実験１２に係る潜熱蓄熱材組成物１Ｂでは、図１５に示すように、融解ピークの時刻ｔｎに対応する温度Ｔｎは４６．７℃で、蓄熱量Ｓｎは３４１ｋＪ／Ｌであった。実施例２の実験１３に係る潜熱蓄熱材組成物１Ｂでは、図１６に示すように、融解ピークの時刻ｔｐに対応する温度Ｔｐは４７．４℃で、蓄熱量Ｓｐは３０５ｋＪ／Ｌであった。
【００５６】
＜考察＞
比較例２に係る実験１の結果は、一般的に知られている酢酸ナトリウム三水和物（第１の潜熱蓄熱材１０）の融点５８℃（実験１の測定値は６０．３℃）と概ね一致し、実験１０の結果は、ヒドロキシメタンスルフィン酸ナトリウム二水和物（第２の潜熱蓄熱材２０Ｂ）の融点６５℃（実験１０の測定値は６６．３℃）と概ね一致している。
【００５７】
これに対し、実施例２に係る実験１１，１２，１３では、潜熱蓄熱材組成物１Ｂは、酢酸ナトリウム三水和物（第１の潜熱蓄熱材１０）と、ヒドロキシメタンスルフィン酸ナトリウム二水和物（第２の潜熱蓄熱材２０Ｂ）とを混合した共融混合物である。そのため、第１の潜熱蓄熱材１０と第２の潜熱蓄熱材２０Ｂとが共晶反応を呈し、潜熱蓄熱材組成物１Ｂが固相状態になると、潜熱蓄熱材組成物１Ｂの結晶構造が、第１の潜熱蓄熱材１０による結晶と、第２の潜熱蓄熱材２０Ｂによる結晶とに基づく共晶組織をなすものと推察される。この共晶組織の発現により、共晶反応特有の事象として、物性の一つである潜熱蓄熱材組成物１Ｂの融点が、第１の潜熱蓄熱材１０単体の融点や、第２の潜熱蓄熱材２０Ｂ単体の融点と比べて低くなったものと考えられる。また、第１の潜熱蓄熱材１０と第２の潜熱蓄熱材２０Ｂは何れも、元々２５０ｋＪ／Ｌを超える蓄熱量の熱を蓄えることができている上に、第１の潜熱蓄熱材１０と第２の潜熱蓄熱材２０Ｂとの共晶反応により、潜熱蓄熱材組成物１Ｂ全体の蓄熱量を低下させる阻害要因が生じていないものと推察される。それ故に、このような第１の潜熱蓄熱材１０と第２の潜熱蓄熱材２０Ｂを配合した潜熱蓄熱材組成物１Ｂでも、より高い蓄熱量を維持することができているものと考えられる。
【００５８】
（実施例３）
次に、実施例３に係る潜熱蓄熱材組成物１Ｃ（１）の概要について、説明する。実施例３に係る潜熱蓄熱材組成物１は、第１の潜熱蓄熱材１０を、酢酸塩の一種である酢酸ナトリウム三水和物（ＣＨ３ＣＯＯＮａ・３Ｈ２Ｏ）とし、第２の潜熱蓄熱材２０を、亜リン酸水素塩の一種である亜リン酸水素二ナトリウム五水和物（Ｎａ２ＨＰＯ３・５Ｈ２Ｏ）（第２の潜熱蓄熱材２０Ｃ）として、酢酸ナトリウム三水和物と亜リン酸水素二ナトリウム五水和物とを混合させた潜熱蓄熱材組成物１Ｃである。
【００５９】
酢酸ナトリウム三水和物単体の物性は、水和数３、分子量［ｇ／ｍｏｌ］１３６．０８、融点約５８℃、融点より低い温度では、水に易溶な固体の物質である。亜リン酸水素二ナトリウム五水和物の物性は、水和数５、分子量［ｇ／ｍｏｌ］２１６．０４、融点５３〜５８℃、融点より低い温度では、水に易溶な固体の物質である。酢酸ナトリウム三水和物と亜リン酸水素二ナトリウム五水和物との配合割合は、酢酸ナトリウム三水和物３０〜７０ｗｔ％、亜リン酸水素二ナトリウム五水和物７０〜３０ｗｔ％であり、潜熱蓄熱材組成物１Ｃの融点は、約５０〜５２℃の温度帯域に調整されている。
【００６０】
次に、潜熱蓄熱材組成物１Ｃにおいて、潜熱蓄熱材同士を２種（第１の潜熱蓄熱材１０，第２の潜熱蓄熱材２０Ｃ）混ぜ合わせたことにより、融点と蓄熱の性能に与える影響を確認する目的で、前述した実験１と、実験１４〜１７の検証実験を行った。実験１，１４は、潜熱蓄熱材を１種だけの試料で行った比較例３に係る実験である。実験１５〜１７は、潜熱蓄熱材を２種混ぜ合わせた試料で行った実施例３に係る実験である。
【００６１】
＜実験方法＞
検証実験では、潜熱蓄熱材組成物１Ｃから試料約１０ｍｇを採取した上で、示差走査熱量測定装置により、その試料台に載せた試料約１０ｍｇに空気３０ｍｌ／ｍｉｎ．の雰囲気ガスを晒し、密閉した状態にある条件下で、試料の蓄熱量を測定した。具体的には、試料を、３０℃から８０．５℃になるまで２℃／ｍｉｎ．の加熱速度で加熱し、その後、８０．５℃の温度で２０分間保持することにより、試料に蓄熱を行った。この間に、試料から出入りした熱量を測定し、蓄熱量を求めた。但し、実験１４では、試料は、融点５３〜５８℃の第２の潜熱蓄熱材２０Ｃ（亜リン酸水素二ナトリウム五水和物）単体であるため、亜リン酸水素二ナトリウム五水和物を確実に融解した状態にするために、加熱して保持する温度を９０．５℃とした。
【００６２】
＜実験１と実験１５〜１７の共通条件＞
・第１の潜熱蓄熱材１０；酢酸ナトリウム三水和物（ＣＨ３ＣＯＯＮａ・３Ｈ２Ｏ）
＜実験１４〜１７の共通条件＞
・第２の潜熱蓄熱材２０Ｃ；亜リン酸水素二ナトリウム五水和物（Ｎａ２ＨＰＯ３・５Ｈ２Ｏ）
＜実験１５〜１７の共通条件＞
・潜熱蓄熱材組成物１Ｃ；酢酸ナトリウム三水和物と亜リン酸水素二ナトリウム五水和物との混合物
【００６３】
＜実験１の条件＞
・第２の潜熱蓄熱材２０Ｃ；配合せず
・第１の潜熱蓄熱材１０の配合割合；１００ｗｔ％
（第１の潜熱蓄熱材１０：第２の潜熱蓄熱材２０Ｃ＝１００：０）
＜実験１４の条件＞
・第１の潜熱蓄熱材１０；配合せず
・第２の潜熱蓄熱材２０Ｃの配合割合；１００ｗｔ％
（第１の潜熱蓄熱材１０：第２の潜熱蓄熱材２０Ｃ＝０：１００）
＜実験１５〜１７の条件＞
・第１の潜熱蓄熱材１０と第２の潜熱蓄熱材２０Ｃとの配合割合
７０ｗｔ％：３０ｗｔ％（実験１５）、５０ｗｔ％：５０ｗｔ％（実験１６）、３０ｗｔ％：７０ｗｔ％（実験１７）
【００６４】
図１７は、実施例３に係る潜熱蓄熱材組成物に関し、実施例３及びその比較例３の実験条件と、ＤＳＣによる融点及び蓄熱量の測定結果をまとめて掲載した表である。図１８は、比較例３の実験１４に係る潜熱蓄熱材組成物の融点及び蓄熱量を示すグラフであり、酢酸ナトリウム三水和物（第１の潜熱蓄熱材）を加えず、主成分を亜リン酸水素二ナトリウム五水和物（第２の潜熱蓄熱材）だけとした場合の実験結果を示すグラフである。図１９は、実施例３の実験１５に係る潜熱蓄熱材組成物の融点及び蓄熱量を示すグラフであり、第１の潜熱蓄熱材と第２の潜熱蓄熱材とを７対３の割合で配合した場合の実験結果を示すグラフである。図２０は、実施例３の実験１６に係る潜熱蓄熱材組成物の融点及び蓄熱量を示すグラフであり、第１の潜熱蓄熱材と第２の潜熱蓄熱材とを１対１の割合で配合した場合の実験結果を示すグラフである。図２１は、実施例３の実験１７に係る潜熱蓄熱材組成物の融点及び蓄熱量を示すグラフであり、第１の潜熱蓄熱材と第２の潜熱蓄熱材とを３対７の割合で配合した場合の実験結果を示すグラフである。
【００６５】
＜実験結果＞
実施例１でも前述した通り、比較例３の実験１に係る第１の潜熱蓄熱材１０単体では、図３に示すように、融解ピークの時刻ｔａに対応する温度Ｔａは６０．３℃で、蓄熱量Ｓａは４００ｋＪ／Ｌであった。比較例３の実験１４に係る第２の潜熱蓄熱材２０Ｃ単体では、図１８に示すように、融解ピークの時刻ｔｑに対応する温度Ｔｑは５９．３℃で、蓄熱量Ｓｑは３５９ｋＪ／Ｌであった。
【００６６】
実施例３の実験１５に係る潜熱蓄熱材組成物１Ｃでは、図１９に示すように、融解ピークの時刻ｔｒに対応する温度Ｔｒは５１．３℃で、蓄熱量Ｓｍは３７３ｋＪ／Ｌであった。実施例３の実験１６に係る潜熱蓄熱材組成物１Ｃでは、図２０に示すように、融解ピークの時刻ｔｓに対応する温度Ｔｓは５０．９℃で、蓄熱量Ｓｓは３４１ｋＪ／Ｌであった。実施例３の実験１７に係る潜熱蓄熱材組成物１Ｃでは、図２１に示すように、融解ピークの時刻ｔｔに対応する温度Ｔｔは５１．８℃で、蓄熱量Ｓｔは３８４ｋＪ／Ｌであった。
【００６７】
＜考察＞
比較例３に係る実験１の結果は、一般的に知られている酢酸ナトリウム三水和物（第１の潜熱蓄熱材１０）の融点（約５８℃）と概ね一致し、実験１４の結果は、亜リン酸水素二ナトリウム五水和物（第２の潜熱蓄熱材２０Ｃ）の融点５３〜５８℃（実験１４の測定値は５９．３℃）と概ね一致している。
【００６８】
これに対し、実施例３に係る実験１５，１６，１７では、潜熱蓄熱材組成物１Ｃは、酢酸ナトリウム三水和物（第１の潜熱蓄熱材１０）と、亜リン酸水素二ナトリウム五水和物（第２の潜熱蓄熱材２０Ｃ）とを混合した共融混合物である。そのため、第１の潜熱蓄熱材１０と第２の潜熱蓄熱材２０Ｃとが共晶反応を呈し、潜熱蓄熱材組成物１Ｃが固相状態になると、潜熱蓄熱材組成物１Ｃの結晶構造が、第１の潜熱蓄熱材１０による結晶と、第２の潜熱蓄熱材２０Ｃによる結晶とに基づく共晶組織をなすものと推察される。この共晶組織の発現により、共晶反応特有の事象として、物性の一つである潜熱蓄熱材組成物１Ｃの融点が、第１の潜熱蓄熱材１０単体の融点や、第２の潜熱蓄熱材２０Ｃ単体の融点と比べて低くなったものと考えられる。また、第１の潜熱蓄熱材１０と第２の潜熱蓄熱材２０Ｃは何れも、元々３５０ｋＪ／Ｌを超える蓄熱量の熱を蓄えることができている上に、第１の潜熱蓄熱材１０と第２の潜熱蓄熱材２０Ｃとの共晶反応により、潜熱蓄熱材組成物１Ｃ全体の蓄熱量を低下させる阻害要因が生じていないものと推察される。それ故に、このような第１の潜熱蓄熱材１０と第２の潜熱蓄熱材２０Ｃを配合した潜熱蓄熱材組成物１Ｃでも、より高い蓄熱量を維持することができているものと考えられる。
【００６９】
（実施例４）
次に、実施例４に係る潜熱蓄熱材組成物１Ｄ（１）の概要について、説明する。実施例４では、第１の潜熱蓄熱材１０は、酢酸塩の一種である酢酸ナトリウム三水和物（ＣＨ３ＣＯＯＮａ・３Ｈ２Ｏ）であり、第２の潜熱蓄熱材２０は、第１の潜熱蓄熱材１０と同じ酢酸塩でも、第１の潜熱蓄熱材１０の構成成分と異なる酢酸リチウム二水和物（ＣＨ３ＣＯＯＬｉ・２Ｈ２Ｏ）（第２の潜熱蓄熱材２０Ｄ）である。すなわち、実施例４に係る潜熱蓄熱材組成物１は、酢酸ナトリウム三水和物と酢酸リチウム二水和物とを混合させた潜熱蓄熱材組成物１Ｄである。
【００７０】
酢酸ナトリウム三水和物単体の物性は、水和数３、分子量［ｇ／ｍｏｌ］１３６．０８、融点約５８℃、融点より低い温度では、水に易溶な固体の物質である。酢酸リチウム二水和物の物性は、水和数２、分子量［ｇ／ｍｏｌ］１０２．０２、融点５３〜５６℃、融点より低い温度では、水に易溶な固体の物質である。酢酸ナトリウム三水和物と酢酸リチウム二水和物との配合割合は、酢酸ナトリウム三水和物２０〜８０ｗｔ％、酢酸リチウム二水和物８０〜２０ｗｔ％であり、より好ましくは、酢酸ナトリウム三水和物３０〜５０ｗｔ％、酢酸リチウム二水和物７０〜５０ｗｔ％である。潜熱蓄熱材組成物１Ｄの融点は、約３６〜３７℃の温度帯域に調整されている。
【００７１】
次に、潜熱蓄熱材組成物１Ｄにおいて、潜熱蓄熱材同士を２種（第１の潜熱蓄熱材１０，第２の潜熱蓄熱材２０Ｄ）混ぜ合わせたことにより、融点と蓄熱の性能に与える影響を確認する目的で、前述した実験１と、実験１８〜２３の検証実験を行った。実験１，１８は、潜熱蓄熱材を１種だけの試料で行った比較例４に係る実験である。実験１９〜２３は、潜熱蓄熱材を２種混ぜ合わせた試料で行った実施例４に係る実験である。
【００７２】
＜実験方法＞
検証実験では、潜熱蓄熱材組成物１Ｄから試料約１０ｍｇを採取した上で、示差走査熱量測定装置により、その試料台に載せた試料約１０ｍｇに空気３０ｍｌ／ｍｉｎ．の雰囲気ガスを晒し、密閉した状態にある条件下で、試料の蓄熱量を測定した。具体的には、試料を、３０℃から７０．５℃になるまで２℃／ｍｉｎ．の加熱速度で加熱し、その後、７０．５℃の温度で２０分間保持することにより、試料に蓄熱を行った。この間に、試料から出入りした熱量を測定し、蓄熱量を求めた。
【００７３】
＜実験１と実験１９〜２３の共通条件＞
・第１の潜熱蓄熱材１０；酢酸ナトリウム三水和物（ＣＨ３ＣＯＯＮａ・３Ｈ２Ｏ）
＜実験１８〜２３の共通条件＞
・第２の潜熱蓄熱材２０Ｄ；酢酸リチウム二水和物（ＣＨ３ＣＯＯＬｉ・２Ｈ２Ｏ）
＜実験１９〜２３の共通条件＞
・潜熱蓄熱材組成物１Ｄ；酢酸ナトリウム三水和物と酢酸リチウム二水和物との混合物
【００７４】
＜実験１の条件＞
・第２の潜熱蓄熱材２０Ｄ；配合せず
・第１の潜熱蓄熱材１０の配合割合；１００ｗｔ％
（第１の潜熱蓄熱材１０：第２の潜熱蓄熱材２０Ｄ＝１００：０）
＜実験１８の条件＞
・第１の潜熱蓄熱材１０；配合せず
・第２の潜熱蓄熱材２０Ｄの配合割合；１００ｗｔ％
（第１の潜熱蓄熱材１０：第２の潜熱蓄熱材２０Ｄ＝０：１００）
＜実験１９〜２３の条件＞
・第１の潜熱蓄熱材１０と第２の潜熱蓄熱材２０Ｄとの配合割合
８０ｗｔ％：２０ｗｔ％（実験１９）、７０ｗｔ％：３０ｗｔ％（実験２０）、５０ｗｔ％：５０ｗｔ％（実験２１）、３０ｗｔ％：７０ｗｔ％（実験２２）、２０ｗｔ％：８０ｗｔ％（実験２３）
【００７５】
図２２は、実施例４に係る潜熱蓄熱材組成物に関し、実施例４及びその比較例４の実験条件と、ＤＳＣによる融点及び蓄熱量の測定結果をまとめて掲載した表である。図２３は、比較例４の実験１８に係る潜熱蓄熱材組成物の融点及び蓄熱量を示すグラフであり、酢酸ナトリウム三水和物（第１の潜熱蓄熱材）を加えず、主成分を酢酸リチウム二水和物（第２の潜熱蓄熱材）だけとした場合の実験結果を示すグラフである。図２４は、実施例４の実験２１に係る潜熱蓄熱材組成物の融点及び蓄熱量を示すグラフであり、第１の潜熱蓄熱材と第２の潜熱蓄熱材とを１対１の割合で配合した場合の実験結果を示すグラフである。図２５は、実施例４の実験２２に係る潜熱蓄熱材組成物の融点及び蓄熱量を示すグラフであり、第１の潜熱蓄熱材と第２の潜熱蓄熱材とを３対７の割合で配合した場合の実験結果を示すグラフである。
【００７６】
＜実験結果＞
実施例１でも前述した通り、比較例４の実験１に係る第１の潜熱蓄熱材１０単体では、図３に示すように、融解ピークの時刻ｔａに対応する温度Ｔａは６０．３℃で、蓄熱量Ｓａは４００ｋＪ／Ｌであった。比較例４の実験１８に係る第２の潜熱蓄熱材２０Ｄ単体では、図２３に示すように、融解ピークの時刻ｔｕに対応する温度Ｔｕは５６．１℃で、蓄熱量Ｓｕは３０４ｋＪ／Ｌであった。
【００７７】
実施例４の実験１９に係る潜熱蓄熱材組成物１Ｄでは、第１の融解ピークの時刻ｔｖ１に対応する温度Ｔｖ１は３６．８℃、第２の融解ピークの時刻ｔｖ２に対応する温度Ｔｖ２は４８．９℃で、蓄熱量Ｓｖは３５０ｋＪ／Ｌであった。実施例４の実験２０に係る潜熱蓄熱材組成物１Ｄでは、第１の融解ピークの時刻ｔｗ１に対応する温度Ｔｗ１は３７．２℃、第２の融解ピークの時刻ｔｗ２に対応する温度Ｔｗ２は４５．３℃で、蓄熱量Ｓｗは３６３ｋＪ／Ｌであった。実施例４の実験２１に係る潜熱蓄熱材組成物１Ｄでは、図２４に示すように、融解ピークの時刻ｔｘに対応する温度Ｔｘは３６．４℃で、蓄熱量Ｓｘは３０３ｋＪ／Ｌであった。実施例４の実験２２に係る潜熱蓄熱材組成物１Ｄでは、図２５に示すように、融解ピークの時刻ｔｙに対応する温度Ｔｙは３７．７℃で、蓄熱量Ｓｙは３３４ｋＪ／Ｌであった。実施例４の実験２３に係る潜熱蓄熱材組成物１Ｄでは、第１の融解ピークの時刻ｔｚ１に対応する温度Ｔｗ１は３７．８℃、第２の融解ピークの時刻ｔｚ２に対応する温度Ｔｚ２は４７．４℃で、蓄熱量Ｓｗは３０８ｋＪ／Ｌであった。なお、実験１９，２０，２３の実験結果に係るグラフの掲載は省略した。
【００７８】
＜考察＞
比較例４に係る実験１の結果は、一般的に知られている酢酸ナトリウム三水和物（第１の潜熱蓄熱材１０）の融点（約５８℃）と概ね一致し、実験１８の結果は、酢酸リチウム二水和物（第２の潜熱蓄熱材２０Ｄ）の融点５３〜５６℃（実験１８の測定値は５６．１℃）と一致している。
【００７９】
これに対し、実施例４に係る実験１９〜２３では、潜熱蓄熱材組成物１Ｄは、酢酸ナトリウム三水和物（第１の潜熱蓄熱材１０）と、酢酸リチウム二水和物（第２の潜熱蓄熱材２０Ｄ）とを混合した共融混合物である。そのため、第１の潜熱蓄熱材１０と第２の潜熱蓄熱材２０Ｄとが共晶反応を呈し、潜熱蓄熱材組成物１Ｄが固相状態になると、潜熱蓄熱材組成物１Ｄの結晶構造が、第１の潜熱蓄熱材１０による結晶と、第２の潜熱蓄熱材２０Ｄによる結晶とに基づく共晶組織をなすものと推察される。この共晶組織の発現により、共晶反応特有の事象として、物性の一つである潜熱蓄熱材組成物１Ｄの融点が、第１の潜熱蓄熱材１０単体の融点や、第２の潜熱蓄熱材２０Ｄ単体の融点と比べて低くなったものと考えられる。また、第１の潜熱蓄熱材１０と第２の潜熱蓄熱材２０Ｄは何れも、元々３００ｋＪ／Ｌを超える蓄熱量の熱を蓄えることができている上に、第１の潜熱蓄熱材１０と第２の潜熱蓄熱材２０Ｄとの共晶反応により、潜熱蓄熱材組成物１Ｄ全体の蓄熱量を低下させる阻害要因が生じていないものと推察される。それ故に、このような第１の潜熱蓄熱材１０と第２の潜熱蓄熱材２０Ｄを配合した潜熱蓄熱材組成物１Ｄでも、より高い蓄熱量を維持することができているものと考えられる。
【００８０】
なお、酢酸ナトリウム三水和物と酢酸リチウム二水和物との配合割合について、実験１９において、酢酸ナトリウム三水和物と酢酸リチウム二水和物との配合割合を４：１とした場合と、実験２０において、酢酸ナトリウム三水和物と酢酸リチウム二水和物との配合割合を７：３とした場合と、実験２３において、酢酸ナトリウム三水和物と酢酸リチウム二水和物との配合割合を１：４とした場合で、融解ピークが２つに分かれてしまう現象が生じた。その理由として、潜熱蓄熱材組成物１Ｄでは、第１の潜熱蓄熱材１０と第２の潜熱蓄熱材２０Ｄとの共晶反応により共晶組織をなす混合物の共融温度で、一つの融解ピークが発現すると共に、第１の潜熱蓄熱材１０または第２の潜熱蓄熱材２０Ｄのいずれかで、この共晶反応で過剰分となり、固相状態で残ってしまっている初晶の融解に起因して、別の融解ピークが発現したものと考えられる。
【００８１】
それ故に、実施例４に係る実験１９では、第１の潜熱蓄熱材１０と第２の潜熱蓄熱材２０Ｄとが４：１の配合割合になっているため、潜熱蓄熱材組成物１Ｄには、第１の潜熱蓄熱材１０の構成成分が、第２の潜熱蓄熱材２０Ｄに対し過剰な割合になっているものと考えられ、融解ピークが２つに分かれたものと推察される。同様に、実施例４に係る実験２０では、第１の潜熱蓄熱材１０と第２の潜熱蓄熱材２０Ｄとが７：３の配合割合になっているため、潜熱蓄熱材組成物１Ｄには、第１の潜熱蓄熱材１０の構成成分が、第２の潜熱蓄熱材２０Ｄに対し過剰な割合になっているものと考えられ、融解ピークが２つに分かれたものと推察される。その反対に、実施例１に係る実験２３では、第１の潜熱蓄熱材１０と第２の潜熱蓄熱材２０Ｄとが１：４の配合割合になっているため、潜熱蓄熱材組成物１Ｄには、第２の潜熱蓄熱材２０Ｄの構成成分が、第１の潜熱蓄熱材１０に対し過剰な割合になっているものと考えられ、融解ピークが２つに分かれたものと推察される。
【００８２】
他方、実験１９，２０，２３において、これらの２つの融解ピークのうち、第１の融解ピークの時刻ｔｖ１，ｔｗ１，ｔｚ１に対応した温度Ｔｖ１，Ｔｗ１，Ｔｚ１は、３６．８〜３７．８℃であり、実験２１，２２の融解ピークに対応した温度Ｔｘ１，Ｔｙ１の３６．４〜３７．７℃と、概ね同じである。しかしながら、蓄熱量Ｓｖ，Ｓｗ，Ｓｚは、３００ｋＪ／Ｌを超えているものの、時刻ｔｖ２，ｔｗ２，ｔｚ２で第２の融解ピークが生じている分、温度Ｔｖ１，Ｔｗ１，Ｔｚ１における蓄熱量は、蓄熱量Ｓｖ，Ｓｗ，Ｓｚのうちの一部となり、実験２１，２２の蓄熱量Ｓｘ，Ｓｙより小さくなる。従って、潜熱蓄熱材組成物１Ｄは、酢酸ナトリウム三水和物と酢酸リチウム二水和物を、酢酸ナトリウム三水和物３０〜５０ｗｔ％、酢酸リチウム二水和物７０〜５０ｗｔ％の配合割合で混合したものであることが、より好ましい。
【００８３】
次に、本実施形態の潜熱蓄熱材組成物１の作用・効果について説明する。本実施形態の潜熱蓄熱材組成物１は、相変化に伴う潜熱の出入りを利用して、蓄熱またはその放熱を行う無機塩水和物として、第１の潜熱蓄熱材１０と、この第１の潜熱蓄熱材１０と混合した化合物２０を含む潜熱蓄熱材組成物において、第１の潜熱蓄熱材１０は、酢酸塩の一種である酢酸ナトリウム三水和物であること、化合物２０は、第１の潜熱蓄熱材１０と、少なくとも１つの構成成分を異にした別の無機塩水和物であり、第１の潜熱蓄熱材１０のカチオン（ナトリウムイオン）の元素「Ｎａ」と同族に属した元素のカチオンと、少なくとも硫酸イオン、ヒドロキシメタンスルフィン酸イオン、亜リン酸水素イオン、または酢酸イオンのいずれかのアニオンにより、イオン結晶をなす第２の潜熱蓄熱材であること、第１の潜熱蓄熱材１０と第２の潜熱蓄熱材２０との配合割合では、第１の潜熱蓄熱材１０が２０〜８０ｗｔ％、第２の潜熱蓄熱材２０が８０〜２０ｗｔ％であること、当該潜熱蓄熱材組成物１は、第１の潜熱蓄熱材１０単体の融点、または第２の潜熱蓄熱材２０単体の融点と、相対的に７〜３７℃低い融点に調整された物性であること、を特徴とする。
【００８４】
この特徴により、潜熱蓄熱材組成物１は、例えば、２０℃前後〜５５℃前後等の温度帯域で相転移を行う蓄熱材になり得るため、融点を、２０℃前後〜５０℃前後としたパラフィン系の潜熱蓄熱材に代えて、このような温度帯域の融点を必要とする工業用途や民生用途等、様々な幅広い分野で使用することができる。
【００８５】
潜熱蓄熱材組成物１の融点が２０℃前後〜５５℃前後等に調整される理由として、潜熱蓄熱材組成物１は、酢酸塩水和物とする第１の潜熱蓄熱材１０と、無機塩水和物である第２の潜熱蓄熱材２０とを混合した共融混合物である。そのため、第１の潜熱蓄熱材１０と第２の潜熱蓄熱材２０とが共晶反応を呈し、潜熱蓄熱材組成物１が固相状態になると、潜熱蓄熱材組成物１の結晶構造は、第１の潜熱蓄熱材１０による結晶と、第２の潜熱蓄熱材２０による結晶とに基づく共晶組織をなす。このような共晶組織が形成されると、潜熱蓄熱材組成物１は、第１の潜熱蓄熱材１０の物性や第２の潜熱蓄熱材２０の物性とは異なる新たな物性を呈し、共晶反応特有の事象として、その物性の一つである潜熱蓄熱材組成物１の融点が、第１の潜熱蓄熱材１０単体の融点や、第２の潜熱蓄熱材２０単体の融点と比べて低くなるからである。
【００８６】
特に、第１の潜熱蓄熱材１０が２０〜８０ｗｔ％、第２の潜熱蓄熱材２０が８０〜２０ｗｔ％の割合で配合されていると、潜熱蓄熱材組成物１の融点は、第１の潜熱蓄熱材１０単体の融点や第２の潜熱蓄熱材２０単体の融点より、７〜３７℃低く調整することができる。そのため、第１の潜熱蓄熱材１０が、融点５８℃の酢酸ナトリウム三水和物である場合、実施例１〜４に挙げた通り、融点を、約２３〜５２℃の温度帯域内に調整した潜熱蓄熱材組成物１を得ることができる。しかも、体積当たりの潜熱の蓄熱量について、この潜熱蓄熱材組成物１は、一般的なパラフィン系の潜熱蓄熱材の蓄熱量１７５〜１８５ｋＪ／Ｌを超え、２００ｋＪ／Ｌ超の熱量の熱を蓄えることができる。
【００８７】
従って、本実施形態に係る潜熱蓄熱材組成物１によれば、相転移を２０℃前後〜５５℃前後の温度帯域で行い、かつパラフィン系の潜熱蓄熱材よりも大きな蓄熱量を得ることができる、という優れた効果を奏する。
【００８８】
また、本実施形態の潜熱蓄熱材組成物１では、酢酸塩は、酢酸ナトリウム三水和物（ＣＨ３ＣＯＯＮａ・３Ｈ２Ｏ）であること、を特徴とする。この特徴により、体積当たりの潜熱の蓄熱量について、酢酸ナトリウム三水和物単体での潜熱の蓄熱量は、４００ｋＪ／Ｌ近傍と、無機塩水和物系の潜熱蓄熱材の中でも、大きいことから、このような酢酸ナトリウム三水和物を含有した潜熱蓄熱材組成物１は、蓄熱できる潜熱の蓄熱量について、３００ｋＪ／Ｌ超えも可能になる程、パラフィン系の潜熱蓄熱材の蓄熱量を大幅に上回った物性となり得る。しかも、第２の潜熱蓄熱材２０の混合により、調整したい融点の温度帯域（２０℃前後〜５０℃前後）の上限側温度は、酢酸ナトリウム三水和物単体の融点５８℃に対し、僅か数℃の差異で近い。そのため、この温度帯域の下限側温度は、その融点５８℃より最大３７℃低い約２０℃近傍にまで調整することができ、潜熱蓄熱材組成物１は、潜熱蓄熱材に蓄えた熱エネルギを活用するにあたり、２０℃前後〜５０℃前後で相転移を必要とした潜熱蓄熱材のニーズに、合致したものになり易い。加えて、酢酸ナトリウム三水和物は、不燃性で、かつ無毒で非危険物であるため、取扱いが容易である上に、市場で幅広く流通して入手し易く、安価である。
【００８９】
また、本実施形態の潜熱蓄熱材組成物１（１Ａ）では、アニオンは、硫酸イオンであり、第２の潜熱蓄熱材２０は、硫酸塩の一種である硫酸ナトリウム十水和物（Ｎａ２ＳＯ４・１０Ｈ２Ｏ）（第２の潜熱蓄熱材２０Ａ）であること、を特徴とする。この特徴により、硫酸ナトリウム十水和物単体は、潜熱の蓄熱量３５５ｋＪ／Ｌ程度と、無機塩水和物系の潜熱蓄熱材の中でも、より大きな蓄熱量の熱を蓄えることができることから、酢酸ナトリウム三水和物を含有した潜熱蓄熱材組成物１Ａも、より高い熱量の熱を蓄えることができている。しかも、酢酸ナトリウム三水和物（第１の潜熱蓄熱材１０）に硫酸ナトリウム十水和物（第２の潜熱蓄熱材２０Ａ）を混合させることで、潜熱蓄熱材組成物１Ａは、その融点を、第１の潜熱蓄熱材１０単体の融点５８℃に比べ、約３２〜３５℃も低く、第２の潜熱蓄熱材２０Ａ単体の融点約３３℃に比べても、約１０℃低く調整できた物性になる。
【００９０】
また、本実施形態の潜熱蓄熱材組成物１Ａでは、酢酸塩は、酢酸ナトリウム三水和物（ＣＨ３ＣＯＯＮａ・３Ｈ２Ｏ）であり、酢酸ナトリウム三水和物と硫酸ナトリウム十水和物との配合割合では、酢酸ナトリウム三水和物が２０〜６０ｗｔ％、硫酸ナトリウム十水和物が８０〜４０ｗｔ％であること、を特徴とする。この特徴により、潜熱蓄熱材組成物１Ａは、このような幅広い配合割合の下で、融点を、約２３〜２５℃にほぼ一定に維持できると共に、３００ｋＪ／Ｌを超える高い熱量の潜熱を、蓄えることができる。
【００９１】
また、本実施形態の潜熱蓄熱材組成物１（１Ｂ）では、アニオンは、ヒドロキシメタンスルフィン酸イオンであり、第２の潜熱蓄熱材２０は、ヒドロキシメタンスルフィン酸塩の一種であるヒドロキシメタンスルフィン酸ナトリウム二水和物（ＣＨ３ＮａＯ３Ｓ・２Ｈ２Ｏ）（第２の潜熱蓄熱材２０Ｂ）であること、を特徴とする。この特徴により、ヒドロキシメタンスルフィン酸ナトリウム二水和物単体は、潜熱の蓄熱量２６３ｋＪ／Ｌ程度と、無機塩水和物系の潜熱蓄熱材の中でも、より大きな蓄熱量の熱を蓄えることができることから、ヒドロキシメタンスルフィン酸ナトリウム二水和物を含有した潜熱蓄熱材組成物１Ｂも、より高い熱量の熱を蓄えることができている。しかも、酢酸ナトリウム三水和物（第１の潜熱蓄熱材１０）にヒドロキシメタンスルフィン酸ナトリウム二水和物（第２の潜熱蓄熱材２０Ｂ）を混合させることで、潜熱蓄熱材組成物１Ｂは、その融点を、第１の潜熱蓄熱材１０単体の融点５８℃に比べ、約１１℃も低く、第２の潜熱蓄熱材２０Ｂ単体の融点約６５℃に比べても、約１７〜１８℃低く調整できた物性になる。
【００９２】
また、本実施形態の潜熱蓄熱材組成物１Ｂでは、酢酸塩は、酢酸ナトリウム三水和物（ＣＨ３ＣＯＯＮａ・３Ｈ２Ｏ）であり、酢酸ナトリウム三水和物とヒドロキシメタンスルフィン酸ナトリウム二水和物との配合割合では、酢酸ナトリウム三水和物が３０〜７０ｗｔ％、ヒドロキシメタンスルフィン酸ナトリウム二水和物が７０〜３０ｗｔ％であること、を特徴とする。この特徴により、潜熱蓄熱材組成物１Ｂは、このような幅広い配合割合の下で、融点を、約４６〜４７℃にほぼ一定に維持できると共に、３００ｋＪ／Ｌを超える高い熱量の潜熱を、蓄えることができる。
【００９３】
また、本実施形態の潜熱蓄熱材組成物１（１Ｃ）では、アニオンは、亜リン酸水素イオンであり、第２の潜熱蓄熱材２０は、亜リン酸水素塩の一種である亜リン酸水素二ナトリウム五水和物（Ｎａ２ＨＰＯ３・５Ｈ２Ｏ）（第２の潜熱蓄熱材２０Ｃ）であること、を特徴とする。この特徴により、亜リン酸水素二ナトリウム五水和物単体は、潜熱の蓄熱量３５９ｋＪ／Ｌ程度と、無機塩水和物系の潜熱蓄熱材の中でも、より大きな蓄熱量の熱を蓄えることができることから、亜リン酸水素二ナトリウム五水和物を含有した潜熱蓄熱材組成物１Ｃも、より高い熱量の熱を蓄えることができている。しかも、酢酸ナトリウム三水和物（第１の潜熱蓄熱材１０）に亜リン酸水素二ナトリウム五水和物（第２の潜熱蓄熱材２０Ｃ）を混合させることで、潜熱蓄熱材組成物１Ｃは、その融点を、第１の潜熱蓄熱材１０単体の融点５８℃に比べ、約６〜７℃低く、第２の潜熱蓄熱材２０Ｃ単体の融点約５３〜５８℃に比べても、約２〜７℃低く調整できた物性になる。
【００９４】
また、本実施形態の潜熱蓄熱材組成物１Ｃでは、酢酸塩は、酢酸ナトリウム三水和物（ＣＨ３ＣＯＯＮａ・３Ｈ２Ｏ）であり、酢酸ナトリウム三水和物と亜リン酸水素二ナトリウム五水和物との配合割合では、酢酸ナトリウム三水和物が３０〜７０ｗｔ％、亜リン酸水素二ナトリウム五水和物が７０〜３０ｗｔ％であること、を特徴とする。この特徴により、潜熱蓄熱材組成物１Ｃは、このような幅広い配合割合の下で、融点を、約５０〜５２℃にほぼ一定に維持できると共に、３４０ｋＪ／Ｌを超える高い熱量の潜熱を、蓄えることができる。
【００９５】
また、本実施形態の潜熱蓄熱材組成物１（１Ｄ）では、アニオンは、酢酸イオンであり、第２の潜熱蓄熱材２０は、酢酸酸塩の一種である酢酸リチウム二水和物（ＣＨ３ＣＯＯＬｉ・２Ｈ２Ｏ）（第２の潜熱蓄熱材２０Ｄ）であること、を特徴とする。この特徴により、酢酸リチウム二水和物単体は、潜熱の蓄熱量３０４ｋＪ／Ｌ程度と、無機塩水和物系の潜熱蓄熱材の中でも、より大きな蓄熱量の熱を蓄えることができることから、酢酸リチウム二水和物を含有した潜熱蓄熱材組成物１Ｄも、より高い熱量の熱を蓄えることができている。しかも、酢酸ナトリウム三水和物（第１の潜熱蓄熱材１０）に酢酸リチウム二水和物（第２の潜熱蓄熱材２０Ｄ）を混合させることで、潜熱蓄熱材組成物１Ｄは、その融点を、第１の潜熱蓄熱材１０単体の融点５８℃に比べ、約２０〜２１℃も低く、第２の潜熱蓄熱材２０Ｄ単体の融点約５３〜５６℃に比べても、約１８〜２０℃低く調整できた物性になる。
【００９６】
また、本実施形態の潜熱蓄熱材組成物１Ｄでは、酢酸塩は、酢酸ナトリウム三水和物（ＣＨ３ＣＯＯＮａ・３Ｈ２Ｏ）であり、酢酸ナトリウム三水和物と酢酸リチウム二水和物との配合割合では、酢酸ナトリウム三水和物が３０〜５０ｗｔ％、酢酸リチウム二水和物が７０〜５０ｗｔ％であること、を特徴とする。この特徴により、潜熱蓄熱材組成物１Ｄは、このような幅広い配合割合の下で、融点を、約３６〜３７℃にほぼ一定に維持できると共に、３００ｋＪ／Ｌを超える高い熱量の潜熱を、蓄えることができる。
【００９７】
以上において、本発明を実施形態の実施例１〜４、及び比較例１〜４に即して説明したが、本発明は上記実施形態の実施例１〜４、及び比較例１〜４に限定されるものではなく、その要旨を逸脱しない範囲で、適宜変更して適用できる。
【００９８】
（１）例えば、実施形態の実施例１〜４では、第１の潜熱蓄熱材１０に第２の潜熱蓄熱材２０（第２の潜熱蓄熱材２０Ａ、第２の潜熱蓄熱材２０Ｂ、第２の潜熱蓄熱材２０Ｃ、第２の潜熱蓄熱材２０Ｄ）を、図２，１２，１７，２２に示す配合割合でそれぞれ添加したが、第２の潜熱蓄熱材２０の配合割合はあくまでも例示に過ぎず、潜熱蓄熱材組成物の使用上、支障が生じなければ、潜熱蓄熱材組成物において、第１の無機塩水和物と第２の無機塩水和物との配合割合は、適宜変更可能である。
【００９９】
（２）また、実施形態では、第１の潜熱蓄熱材１０と第２の潜熱蓄熱材２０との混合により、潜熱蓄熱材組成物１の融点を、実施例１の場合で約２３〜２５℃の温度帯域とし、実施例２の場合で約４６〜４７℃の温度帯域とし、実施例３の場合で約５０〜５２℃の温度帯域とし、実施例４の場合で約３６〜３７℃の温度帯域として、それぞれ所望の温度帯域に調整したが、第１の無機塩水和物と第２の無機塩水和物との混合により調整される潜熱蓄熱材組成物の融点は、これらの温度帯域に限定されるものではなく、潜熱蓄熱材組成物から放熱される熱を利用する熱供給先で、必要とする熱源の温度に対応した温度に調整されたものであれば良い。
【０１００】
（３）また、実施形態では、第１の潜熱蓄熱材１０と第２の潜熱蓄熱材２０だけを混合した潜熱蓄熱材組成物１を挙げたが、潜熱蓄熱材組成物は、第１の無機塩水和物と第２の無機塩水和物との混合物以外に、必要に応じて、例えば、融点調整剤、増粘剤、過冷却防止剤、着色剤等の添加剤を加えた組成物であっても良い。
【符号の説明】
【０１０１】
１，１Ａ，１Ｂ，１Ｃ，１Ｄ  潜熱蓄熱材組成物
１０  第１の潜熱蓄熱材（第１の無機塩水和物）
２０，２０Ａ，２０Ｂ，２０Ｃ，２０Ｄ  第２の潜熱蓄熱材（化合物、第２の無機塩水和物）
【図１】
2019206631.tif 000003
【図２】
2019206631.tif 000004
【図３】
2019206631.tif 000005
【図４】
2019206631.tif 000006
【図５】
2019206631.tif 000007
【図６】
2019206631.tif 000008
【図７】
2019206631.tif 000009
【図８】
2019206631.tif 000010
【図９】
2019206631.tif 000011
【図１０】
2019206631.tif 000012
【図１１】
2019206631.tif 000013
【図１２】
2019206631.tif 000014
【図１３】
2019206631.tif 000015
【図１４】
2019206631.tif 000016
【図１５】
2019206631.tif 000017
【図１６】
2019206631.tif 000018
【図１７】
2019206631.tif 000019
【図１８】
2019206631.tif 000020
【図１９】
2019206631.tif 000021
【図２０】
2019206631.tif 000022
【図２１】
2019206631.tif 000023
【図２２】
2019206631.tif 000024
【図２３】
2019206631.tif 000025
【図２４】
2019206631.tif 000026
【図２５】
2019206631.tif 000027